(57)【要約】【課題】処方せんやお薬手帳を電子化した場合に、利便性を向上させる。【解決手段】病院内装置３２は、患者の診察後、処方せんに関する情報をデータサーバ９１に送信して記録させ、さらに処方せんＩＤと、調剤を依頼する薬局を示す送信先薬局ＩＤを含む、調剤予約要求をデータサーバ９１に送信する。データサーバ９１は、調剤予約要求に応じて、処方せんＩＤと送信先薬局ＩＤを含む調剤予約情報を記録し、薬局内装置６２はデータサーバ９１を定期的に監視して調剤予約情報を取得し、薬剤の調剤依頼があったかを検出する。調剤の依頼があると、薬局内装置６２はデータサーバ９１から処方せんに関する情報を取得する。これにより、薬局側は患者の来店前に調剤を開始することができる。本発明は、情報処理システムに適用することができる。【選択図】図１
2012113523.tif 000002
【特許請求の範囲】
【請求項１】
患者に対して発行された処方せんにより処方された薬剤の調剤予約を要求する調剤予約要求であって、前記患者を特定する識別情報、前記処方せんに関する処方せん情報、および調剤の予約を要求する前記薬剤を特定するための薬剤特定情報が含まれる調剤予約要求を生成する生成手段と、
前記調剤予約要求を送信する送信手段と
を備える情報処理装置。
【請求項２】
前記処方せん情報を管理するサーバに対して、前記識別情報を送信させることで、前記サーバから前記患者の前記処方せん情報を取得する取得手段をさらに備える
請求項１に記載の情報処理装置。
【請求項３】
前記薬剤特定情報は、前記薬剤の形態を特定する情報、またはジェネリックへの変更の可否を示す情報である
請求項２に記載の情報処理装置。
【請求項４】
前記取得手段は、前記サーバから、前記患者に対して処方された前記薬剤に関する調剤履歴情報をさらに取得し、
前記調剤履歴情報に含まれている、過去に前記患者が薬剤の調剤を依頼した薬局の一覧を表示する表示手段をさらに備え、
前記調剤予約要求には、前記薬局の一覧から選択された、前記薬剤の調剤予約を要求する薬局を特定する薬局特定情報がさらに含まれる
請求項２に記載の情報処理装置。
【請求項５】
患者に対して発行された処方せんにより処方された薬剤の調剤予約を要求する調剤予約要求であって、前記患者を特定する識別情報、前記処方せんに関する処方せん情報、および調剤の予約を要求する前記薬剤を特定するための薬剤特定情報が含まれる調剤予約要求を生成する生成手段と、
前記調剤予約要求を送信する送信手段と
を備える情報処理装置の情報処理方法であって、
前記生成手段が前記調剤予約要求を生成し、
前記送信手段が前記調剤予約要求を送信する
ステップを含む情報処理方法。
【請求項６】
患者に対して発行された処方せんにより処方された薬剤の調剤予約を要求する調剤予約要求であって、前記患者を特定する識別情報、前記処方せんに関する処方せん情報、および調剤の予約を要求する前記薬剤を特定するための薬剤特定情報が含まれる調剤予約要求を生成し、
前記調剤予約要求を送信する
ステップを含む処理をコンピュータに実行させるプログラム。
【請求項７】
患者に対して発行された処方せんに関する処方せん情報、および前記患者に対して処方された薬剤に関する調剤履歴情報と、前記患者を特定する識別情報とを対応付けて記録する記録手段と、
前記識別情報を含む、前記処方せん情報、および前記調剤履歴情報の送信の要求が受信された場合、前記要求に応じて、前記識別情報に対応付けられて記録されている前記処方せん情報、および前記調剤履歴情報を、前記要求を送信してきた装置に送信する送信手段と、
前記装置から送信された、前記処方せんにより処方された薬剤の調剤予約を要求する調剤予約要求であって、少なくとも前記識別情報、前記処方せん情報、および前記調剤履歴情報に含まれている、過去に前記患者が薬剤の調剤を依頼した薬局のなかから選択された、薬剤の調剤予約を要求する薬局を特定する薬局特定情報が含まれる調剤予約要求を受信する受信手段と、
前記調剤予約要求に基づいて、前記処方せんを特定する処方せん特定情報、調剤予約を要求する薬剤を特定するための薬剤特定情報、および前記薬局特定情報を含む調剤予約情報を生成し、前記調剤予約情報を前記識別情報と対応付けて前記記録手段に記録させる生成手段と
を備え、
前記送信手段は、前記調剤予約情報を、前記薬局特定情報により特定される薬局の装置に送信し、前記薬局の装置の要求に応じて、前記調剤予約情報に含まれる前記処方せん特定情報により特定される処方せんの前記処方せん情報を前記薬局の装置に送信する
情報処理装置。
【請求項８】
前記薬剤特定情報は、前記薬剤の形態を特定する情報、またはジェネリックへの変更の可否を示す情報である
請求項７に記載の情報処理装置。
【請求項９】
患者に対して発行された処方せんに関する処方せん情報、および前記患者に対して処方された薬剤に関する調剤履歴情報と、前記患者を特定する識別情報とを対応付けて記録する記録手段と、
前記識別情報を含む、前記処方せん情報、および前記調剤履歴情報の送信の要求が受信された場合、前記要求に応じて、前記識別情報に対応付けられて記録されている前記処方せん情報、および前記調剤履歴情報を、前記要求を送信してきた装置に送信する送信手段と、
前記装置から送信された、前記処方せんにより処方された薬剤の調剤予約を要求する調剤予約要求であって、少なくとも前記識別情報、前記処方せん情報、および前記調剤履歴情報に含まれている、過去に前記患者が薬剤の調剤を依頼した薬局のなかから選択された、薬剤の調剤予約を要求する薬局を特定する薬局特定情報が含まれる調剤予約要求を受信する受信手段と、
前記調剤予約要求に基づいて、前記処方せんを特定する処方せん特定情報、調剤予約を要求する薬剤を特定するための薬剤特定情報、および前記薬局特定情報を含む調剤予約情報を生成し、前記調剤予約情報を前記識別情報と対応付けて前記記録手段に記録させる生成手段と
を備える情報処理装置の情報処理方法であって、
前記記録手段が、前記処方せん情報および前記調剤履歴情報と前記識別情報とを対応付けて記録し、
前記送信手段が前記要求に応じて、前記処方せん情報および前記調剤履歴情報を送信し、
前記受信手段が前記調剤予約要求を受信し、
前記生成手段が前記調剤予約情報を生成し、
前記送信手段が前記調剤予約情報を、前記薬局特定情報により特定される薬局の装置に送信し、前記薬局の装置の要求に応じて、前記調剤予約情報に含まれる前記処方せん特定情報により特定される処方せんの前記処方せん情報を前記薬局の装置に送信する
ステップを含む情報処理方法。
【請求項１０】
患者に対して発行された処方せんに関する処方せん情報、および前記患者に対して処方された薬剤に関する調剤履歴情報と、前記患者を特定する識別情報とを対応付けて記録し、
前記識別情報を含む、前記処方せん情報、および前記調剤履歴情報の送信の要求が受信された場合、前記要求に応じて、前記識別情報に対応付けられて記録されている前記処方せん情報、および前記調剤履歴情報を、前記要求を送信してきた装置に送信し、
前記装置から送信された、前記処方せんにより処方された薬剤の調剤予約を要求する調剤予約要求であって、少なくとも前記識別情報、前記処方せん情報、および前記調剤履歴情報に含まれている、過去に前記患者が薬剤の調剤を依頼した薬局のなかから選択された、薬剤の調剤予約を要求する薬局を特定する薬局特定情報が含まれる調剤予約要求を受信し、
前記調剤予約要求に基づいて、前記処方せんを特定する処方せん特定情報、調剤予約を要求する薬剤を特定するための薬剤特定情報、および前記薬局特定情報を含む調剤予約情報を生成し、前記調剤予約情報を前記識別情報と対応付けて記録させ、
前記調剤予約情報を、前記薬局特定情報により特定される薬局の装置に送信し、前記薬局の装置の要求に応じて、前記調剤予約情報に含まれる前記処方せん特定情報により特定される処方せんの前記処方せん情報を前記薬局の装置に送信する
ステップを含む処理をコンピュータに実行させるプログラム。
【請求項１１】
患者に対して発行された処方せんに関する処方せん情報と、前記患者を特定する識別情報とを対応付けて管理するサーバから、前記処方せん情報に含まれている前記処方せんを特定する処方せん特定情報、および調剤の予約を要求する薬剤を特定するための薬剤特定情報を含む調剤予約情報を受信する受信手段と、
前記調剤予約情報に含まれる前記処方せん特定情報に基づいて、前記サーバから前記処方せん特定情報により特定される前記処方せんの前記処方せん情報を取得する取得手段と、
前記薬剤の調剤の予約を受理する旨の情報を前記サーバに送信する送信手段と
を備える情報処理装置。
【請求項１２】
前記薬剤特定情報は、前記薬剤の形態を特定する情報、またはジェネリックへの変更の可否を示す情報である
請求項１１に記載の情報処理装置。
【請求項１３】
前記所定の薬局における薬剤の在庫状況を示す在庫情報を記録する記録手段をさらに備え、
前記送信手段は、前記在庫情報により示される前記薬剤の在庫数量が、前記処方せん情報に対応する前記処方せんによって処方された前記薬剤の数量よりも多い場合、前記薬剤の調剤の予約を受理する旨の情報を送信する
請求項１１に記載の情報処理装置。
【請求項１４】
患者に対して発行された処方せんに関する処方せん情報と、前記患者を特定する識別情報とを対応付けて管理するサーバから、前記処方せん情報に含まれている前記処方せんを特定する処方せん特定情報、および調剤の予約を要求する薬剤を特定するための薬剤特定情報を含む調剤予約情報を受信する受信手段と、
前記調剤予約情報に含まれる前記処方せん特定情報に基づいて、前記サーバから前記処方せん特定情報により特定される前記処方せんの前記処方せん情報を取得する取得手段と、
前記薬剤の調剤の予約を受理する旨の情報を前記サーバに送信する送信手段と
を備える情報処理装置の情報処理方法であって、
前記受信手段が前記調剤予約情報を受信し、
前記取得手段が前記処方せん情報を取得し、
前記送信手段が前記薬剤の調剤の予約を受理する旨の情報を前記サーバに送信する
ステップを含む情報処理方法。
【請求項１５】
患者に対して発行された処方せんに関する処方せん情報と、前記患者を特定する識別情報とを対応付けて管理するサーバから、前記処方せん情報に含まれている前記処方せんを特定する処方せん特定情報、および調剤の予約を要求する薬剤を特定するための薬剤特定情報を含む調剤予約情報を受信し、
前記調剤予約情報に含まれる前記処方せん特定情報に基づいて、前記サーバから前記処方せん特定情報により特定される前記処方せんの前記処方せん情報を取得し、
前記薬剤の調剤の予約を受理する旨の情報を前記サーバに送信する
ステップを含む処理をコンピュータに実行させるプログラム。
【請求項１６】
患者の医療機関での診察の予約日を含む診察の予約に関する診察予約情報と、前記患者を特定する識別情報とを対応付けて記録する記録手段から、前記診察予約情報を取得する取得手段と、
前記診察予約情報に含まれる前記診察の予約日が所定の条件を満たす場合、前記診察予約情報に基づいて、前記患者に対して前記診察の予約日を通知する診察予約通知を生成する生成手段と、
前記診察予約情報に対応付けられた前記識別情報により特定される前記患者の連絡先を宛先として、前記診察予約通知を送信する送信手段と
を備える情報処理装置。
【請求項１７】
前記生成手段は、前記診察予約通知として電子メールまたは音声メッセージを生成する
請求項１６に記載の情報処理装置。
【請求項１８】
前記診察予約情報には、前記医療機関から前記患者への連絡事項が含まれており、前記生成手段は、前記連絡事項を含む前記診察予約通知を生成する
請求項１６に記載の情報処理装置。
【請求項１９】
患者の医療機関での診察の予約日を含む診察の予約に関する診察予約情報と、前記患者を特定する識別情報とを対応付けて記録する記録手段から、前記診察予約情報を取得する取得手段と、
前記診察予約情報に含まれる前記診察の予約日が所定の条件を満たす場合、前記診察予約情報に基づいて、前記患者に対して前記診察の予約日を通知する診察予約通知を生成する生成手段と、
前記診察予約情報に対応付けられた前記識別情報により特定される前記患者の連絡先を宛先として、前記診察予約通知を送信する送信手段と
を備える情報処理装置の情報処理方法であって、
前記取得手段が前記診察予約情報を取得し、
前記生成手段が前記診察予約通知を生成し、
前記送信手段が前記診察予約通知を送信する
ステップを含む情報処理方法。
【請求項２０】
患者の医療機関での診察の予約日を含む診察の予約に関する診察予約情報と、前記患者を特定する識別情報とを対応付けて記録する記録手段から、前記診察予約情報を取得し、
前記診察予約情報に含まれる前記診察の予約日が所定の条件を満たす場合、前記診察予約情報に基づいて、前記患者に対して前記診察の予約日を通知する診察予約通知を生成し、
前記診察予約情報に対応付けられた前記識別情報により特定される前記患者の連絡先を宛先として、前記診察予約通知を送信する
ステップを含む処理をコンピュータに実行させるプログラム。
【請求項２１】
患者の医療機関での診察の予約日を含む診察の予約に関する診察予約情報と、前記患者を特定する識別情報とを対応付けて管理するサーバから、前記診察予約情報の前記診察の予約日が所定の条件を満たす場合に送信されてくる、前記患者に対して前記診察の予約日を通知する診察予約通知を受信する受信手段と、
受信した前記診察予約通知に基づいて、前記診察の予約日を前記患者に報知する報知手段と
を備える情報処理装置。
【請求項２２】
前記診察予約通知は電子メールであり、前記報知手段は、前記電子メールを表示することで、前記診察の予約日を報知する
請求項２１に記載の情報処理装置。
【請求項２３】
前記診察予約通知は音声メッセージであり、前記報知手段は、前記音声メッセージを出力することで、前記診察の予約日を報知する
請求項２１に記載の情報処理装置。
【請求項２４】
患者の医療機関での診察の予約日を含む診察の予約に関する診察予約情報と、前記患者を特定する識別情報とを対応付けて管理するサーバから、前記診察予約情報の前記診察の予約日が所定の条件を満たす場合に送信されてくる、前記患者に対して前記診察の予約日を通知する診察予約通知を受信する受信手段と、
受信した前記診察予約通知に基づいて、前記診察の予約日を前記患者に報知する報知手段と
を備える情報処理装置の情報処理方法であって、
前記受信手段が前記診察予約通知を受信し、
前記報知手段が前記診察の予約日を前記患者に報知する
ステップを含む情報処理方法。
【請求項２５】
患者の医療機関での診察の予約日を含む診察の予約に関する診察予約情報と、前記患者を特定する識別情報とを対応付けて管理するサーバから、前記診察予約情報の前記診察の予約日が所定の条件を満たす場合に送信されてくる、前記患者に対して前記診察の予約日を通知する診察予約通知を受信し、
受信した前記診察予約通知に基づいて、前記診察の予約日を前記患者に報知する
ステップを含む処理をコンピュータに実行させるプログラム。
【請求項２６】
患者に対して処方された薬剤の服薬のタイミングを示す情報が含まれる、前記薬剤に関する調剤履歴情報と、前記患者を特定する識別情報とを対応付けて記録する記録手段から、前記調剤履歴情報を取得する取得手段と、
前記調剤履歴情報の前記服薬のタイミングを示す情報が所定の条件を満たす場合、前記調剤履歴情報に基づいて、前記患者に対して前記薬剤の服薬を促す服薬通知を生成する生成手段と、
前記調剤履歴情報に対応付けられた前記識別情報により特定される前記患者の連絡先を宛先として、前記服薬通知を送信する送信手段と
を備える情報処理装置。
【請求項２７】
前記生成手段は、服薬すべき前記薬剤の数量と前記薬剤の画像とが含まれる電子メールを前記服薬通知として生成する
請求項２６に記載の情報処理装置。
【請求項２８】
前記生成手段は、前記薬剤を所定の数量だけ服薬するように促す音声メッセージを前記服薬通知として生成する
請求項２６に記載の情報処理装置。
【請求項２９】
患者に対して処方された薬剤の服薬のタイミングを示す情報が含まれる、前記薬剤に関する調剤履歴情報と、前記患者を特定する識別情報とを対応付けて記録する記録手段から、前記調剤履歴情報を取得する取得手段と、
前記調剤履歴情報の前記服薬のタイミングを示す情報が所定の条件を満たす場合、前記調剤履歴情報に基づいて、前記患者に対して前記薬剤の服薬を促す服薬通知を生成する生成手段と、
前記調剤履歴情報に対応付けられた前記識別情報により特定される前記患者の連絡先を宛先として、前記服薬通知を送信する送信手段と
を備える情報処理装置の情報処理方法であって、
前記取得手段が前記調剤履歴情報を取得し、
前記生成手段が前記服薬通知を生成し、
前記送信手段が前記服薬通知を送信する
ステップを含む情報処理方法。
【請求項３０】
患者に対して処方された薬剤の服薬のタイミングを示す情報が含まれる、前記薬剤に関する調剤履歴情報と、前記患者を特定する識別情報とを対応付けて記録する記録手段から、前記調剤履歴情報を取得し、
前記調剤履歴情報の前記服薬のタイミングを示す情報が所定の条件を満たす場合、前記調剤履歴情報に基づいて、前記患者に対して前記薬剤の服薬を促す服薬通知を生成し、
前記調剤履歴情報に対応付けられた前記識別情報により特定される前記患者の連絡先を宛先として、前記服薬通知を送信する
ステップを含む処理をコンピュータに実行させるプログラム。
【請求項３１】
患者に対して処方された薬剤の服薬のタイミングを示す情報が含まれる、前記薬剤に関する調剤履歴情報と、前記患者を特定する識別情報とを対応付けて管理するサーバから、前記調剤履歴情報の前記服薬のタイミングを示す情報が所定の条件を満たす場合に送信されてくる、前記患者に対して前記薬剤の服薬を促す服薬通知を受信する受信手段と、
受信した前記服薬通知に基づいて、前記薬剤の服薬を前記患者に報知する報知手段と
を備える情報処理装置。
【請求項３２】
前記服薬通知は、服薬すべき前記薬剤の数量と前記薬剤の画像とが含まれる電子メールであり、前記報知手段は、前記電子メールを表示することで、前記薬剤の服薬を報知する
請求項３１に記載の情報処理装置。
【請求項３３】
前記服薬通知は前記薬剤を所定の数量だけ服薬するように促す音声メッセージであり、前記報知手段は、前記音声メッセージを出力することで、前記薬剤の服薬を報知する
請求項３１に記載の情報処理装置。
【請求項３４】
患者に対して処方された薬剤の服薬のタイミングを示す情報が含まれる、前記薬剤に関する調剤履歴情報と、前記患者を特定する識別情報とを対応付けて管理するサーバから、前記調剤履歴情報の前記服薬のタイミングを示す情報が所定の条件を満たす場合に送信されてくる、前記患者に対して前記薬剤の服薬を促す服薬通知を受信する受信手段と、
受信した前記服薬通知に基づいて、前記薬剤の服薬を前記患者に報知する報知手段と
を備える情報処理装置の情報処理方法であって、
前記受信手段が前記服薬通知を受信し、
前記報知手段が前記薬剤の服薬を前記患者に報知する
ステップを含む情報処理方法。
【請求項３５】
患者に対して処方された薬剤の服薬のタイミングを示す情報が含まれる、前記薬剤に関する調剤履歴情報と、前記患者を特定する識別情報とを対応付けて管理するサーバから、前記調剤履歴情報の前記服薬のタイミングを示す情報が所定の条件を満たす場合に送信されてくる、前記患者に対して前記薬剤の服薬を促す服薬通知を受信し、
受信した前記服薬通知に基づいて、前記薬剤の服薬を前記患者に報知する
ステップを含む処理をコンピュータに実行させるプログラム。
【発明の詳細な説明】
【技術分野】
【０００１】
本発明は情報処理装置および方法、並びにプログラムに関し、特に、処方せんやお薬手帳を電子化した場合に、利便性を向上させることができるようにした情報処理装置および方法、並びにプログラムに関する。
【背景技術】
【０００２】
現在、医師が発行する処方せんや、薬局で発行されるお薬手帳は、紙媒体で運用されているが、利便性や効率性向上の観点から、近い将来において、これらの処方せんやお薬手帳が電子化されていくと考えられる。
【０００３】
例えば、お薬手帳に関連する技術として、薬剤の名称や服用方法などの情報を予め記録しておき、その情報に基づいて薬剤指導書を生成し、印刷する技術が提案されている（例えば、特許文献１参照）。この技術では、患者が所有する手帳等にも薬剤に関する情報を保管できるように、保管用の情報が薬剤指導書の一部に設けられる。
【先行技術文献】
【特許文献】
【０００４】
【特許文献１】特開平１１−２８８７７号公報
【発明の概要】
【発明が解決しようとする課題】
【０００５】
しかしながら、処方せんやお薬手帳の単純な電子化は、紙媒体の置き換えに過ぎないため、従前の処方せんやお薬手帳が有する機能以上の利便性を創造することはできない。そのため、医師、薬局の薬剤師、および患者のそれぞれの立場において、以下のような不都合があった。
【０００６】
すなわち、医師の立場からすれば、薬の服用は患者の自己管理の下で実施されるため、患者の服薬コンプライアンスを向上させる有効な対策を講じることは困難であった。再受診についても患者の自己管理の下で判断されるため、自己判断による不適切な受診の中断によって、治療効果の低下が起こり得る。
【０００７】
また、薬局の薬剤師からすれば、患者が処方せんを持参しない限り調剤作業が開始できないため、患者を長時間待たせることになり、顧客満足度の低下を招く場合が多くなってしまう。同様に、患者からしても薬局での待ち時間が長く、苦痛である。
【０００８】
さらに、患者の立場からは、薬の服用が患者の自己管理の下で実施されるため、服用忘れなどにより治療効果が低減してしまう場合や、患者の自己判断による不適切な受診の中断によって、治療効果が低減してしまう場合があった。
【０００９】
本発明は、このような状況に鑑みてなされたものであり、処方せんやお薬手帳を電子化した場合に、利便性を向上させることができるようにするものである。
【課題を解決するための手段】
【００１０】
本発明の第１の側面の情報処理装置は、患者に対して発行された処方せんにより処方された薬剤の調剤予約を要求する調剤予約要求であって、前記患者を特定する識別情報、前記処方せんに関する処方せん情報、および調剤の予約を要求する前記薬剤を特定するための薬剤特定情報が含まれる調剤予約要求を生成する生成手段と、前記調剤予約要求を送信する送信手段とを備える。
【００１１】
情報処理装置には、前記処方せん情報を管理するサーバに対して、前記患者を特定する識別情報を送信させることで、前記サーバから前記患者の前記処方せん情報を取得する取得手段をさらに設けることができる。
【００１２】
前記薬剤特定情報は、前記薬剤の形態を特定する情報、またはジェネリックへの変更の可否を示す情報とすることができる。
【００１３】
前記取得手段には、前記サーバから、前記患者に対して処方された前記薬剤に関する調剤履歴情報をさらに取得させ、前記調剤履歴情報に含まれている、過去に前記患者が薬剤の調剤を依頼した薬局の一覧を表示する表示手段をさらに設け、前記調剤予約要求には、前記薬局の一覧から選択された、前記薬剤の調剤予約を要求する薬局を特定する薬局特定情報がさらに含まれるようにすることができる。
【００１４】
本発明の第１の側面の情報処理方法またはプログラムは、患者に対して発行された処方せんにより処方された薬剤の調剤予約を要求する調剤予約要求であって、前記患者を特定する識別情報、前記処方せんに関する処方せん情報、および調剤の予約を要求する前記薬剤を特定するための薬剤特定情報が含まれる調剤予約要求を生成し、前記調剤予約要求を送信するステップを含む。
【００１５】
本発明の第１の側面においては、患者に対して発行された処方せんにより処方された薬剤の調剤予約を要求する調剤予約要求であって、前記患者を特定する識別情報、前記処方せんに関する処方せん情報、および調剤の予約を要求する前記薬剤を特定するための薬剤特定情報が含まれる調剤予約要求が生成され、前記調剤予約要求が送信される。
【００１６】
本発明の第２の側面の情報処理装置は、患者に対して発行された処方せんに関する処方せん情報、および前記患者に対して処方された薬剤に関する調剤履歴情報と、前記患者を特定する識別情報とを対応付けて記録する記録手段と、前記識別情報を含む、前記処方せん情報、および前記調剤履歴情報の送信の要求が受信された場合、前記要求に応じて、前記識別情報に対応付けられて記録されている前記処方せん情報、および前記調剤履歴情報を、前記要求を送信してきた装置に送信する送信手段と、前記装置から送信された、前記処方せんにより処方された薬剤の調剤予約を要求する調剤予約要求であって、少なくとも前記識別情報、前記処方せん情報、および前記調剤履歴情報に含まれている、過去に前記患者が薬剤の調剤を依頼した薬局のなかから選択された、薬剤の調剤予約を要求する薬局を特定する薬局特定情報が含まれる調剤予約要求を受信する受信手段と、前記調剤予約要求に基づいて、前記処方せんを特定する処方せん特定情報、調剤予約を要求する薬剤を特定するための薬剤特定情報、および前記薬局特定情報を含む調剤予約情報を生成し、前記調剤予約情報を前記識別情報と対応付けて前記記録手段に記録させる生成手段とを備え、前記送信手段は、前記調剤予約情報を、前記薬局特定情報により特定される薬局の装置に送信し、前記薬局の装置の要求に応じて、前記調剤予約情報に含まれる前記処方せん特定情報により特定される処方せんの前記処方せん情報を前記薬局の装置に送信する。
【００１７】
前記薬剤特定情報は、前記薬剤の形態を特定する情報、またはジェネリックへの変更の可否を示す情報とすることができる。
【００１８】
本発明の第２の側面の情報処理方法またはプログラムは、患者に対して発行された処方せんに関する処方せん情報、および前記患者に対して処方された薬剤に関する調剤履歴情報と、前記患者を特定する識別情報とを対応付けて記録し、前記識別情報を含む、前記処方せん情報、および前記調剤履歴情報の送信の要求が受信された場合、前記要求に応じて、前記識別情報に対応付けられて記録されている前記処方せん情報、および前記調剤履歴情報を、前記要求を送信してきた装置に送信し、前記装置から送信された、前記処方せんにより処方された薬剤の調剤予約を要求する調剤予約要求であって、少なくとも前記識別情報、前記処方せん情報、および前記調剤履歴情報に含まれている、過去に前記患者が薬剤の調剤を依頼した薬局のなかから選択された、薬剤の調剤予約を要求する薬局を特定する薬局特定情報が含まれる調剤予約要求を受信し、前記調剤予約要求に基づいて、前記処方せんを特定する処方せん特定情報、調剤予約を要求する薬剤を特定するための薬剤特定情報、および前記薬局特定情報を含む調剤予約情報を生成し、前記調剤予約情報を前記識別情報と対応付けて記録させ、前記調剤予約情報を、前記薬局特定情報により特定される薬局の装置に送信し、前記薬局の装置の要求に応じて、前記調剤予約情報に含まれる前記処方せん特定情報により特定される処方せんの前記処方せん情報を前記薬局の装置に送信するステップを含む。
【００１９】
本発明の第２の側面においては、患者に対して発行された処方せんに関する処方せん情報、および前記患者に対して処方された薬剤に関する調剤履歴情報と、前記患者を特定する識別情報とが対応付けて記録され、前記識別情報を含む、前記処方せん情報、および前記調剤履歴情報の送信の要求が受信された場合、前記要求に応じて、前記識別情報に対応付けられて記録されている前記処方せん情報、および前記調剤履歴情報が、前記要求を送信してきた装置に送信され、前記装置から送信された、前記処方せんにより処方された薬剤の調剤予約を要求する調剤予約要求であって、少なくとも前記識別情報、前記処方せん情報、および前記調剤履歴情報に含まれている、過去に前記患者が薬剤の調剤を依頼した薬局のなかから選択された、薬剤の調剤予約を要求する薬局を特定する薬局特定情報が含まれる調剤予約要求が受信され、前記調剤予約要求に基づいて、前記処方せんを特定する処方せん特定情報、調剤予約を要求する薬剤を特定するための薬剤特定情報、および前記薬局特定情報を含む調剤予約情報が生成され、前記調剤予約情報が前記識別情報と対応付けて記録され、前記調剤予約情報が、前記薬局特定情報により特定される薬局の装置に送信され、前記薬局の装置の要求に応じて、前記調剤予約情報に含まれる前記処方せん特定情報により特定される処方せんの前記処方せん情報が前記薬局の装置に送信される。
【００２０】
本発明の第３の側面の情報処理装置は、患者に対して発行された処方せんに関する処方せん情報と、前記患者を特定する識別情報とを対応付けて管理するサーバから、前記処方せん情報に含まれている前記処方せんを特定する処方せん特定情報、および調剤の予約を要求する薬剤を特定するための薬剤特定情報を含む調剤予約情報を受信する受信手段と、前記調剤予約情報に含まれる前記処方せん特定情報に基づいて、前記サーバから前記処方せん特定情報により特定される前記処方せんの前記処方せん情報を取得する取得手段と、前記薬剤の調剤の予約を受理する旨の情報を前記サーバに送信する送信手段とを備える。
【００２１】
前記薬剤特定情報は、前記薬剤の形態を特定する情報、またはジェネリックへの変更の可否を示す情報とすることができる。
【００２２】
情報処理装置には、前記所定の薬局における薬剤の在庫状況を示す在庫情報を記録する記録手段をさらに設け、前記送信手段には、前記在庫情報により示される前記薬剤の在庫数量が、前記処方せん情報に対応する前記処方せんによって処方された前記薬剤の数量よりも多い場合、前記薬剤の調剤の予約を受理する旨の情報を送信させることができる。
【００２３】
本発明の第３の側面の情報処理方法またはプログラムは、患者に対して発行された処方せんに関する処方せん情報と、前記患者を特定する識別情報とを対応付けて管理するサーバから、前記処方せん情報に含まれている前記処方せんを特定する処方せん特定情報、および調剤の予約を要求する薬剤を特定するための薬剤特定情報を含む調剤予約情報を受信し、前記調剤予約情報に含まれる前記処方せん特定情報に基づいて、前記サーバから前記処方せん特定情報により特定される前記処方せんの前記処方せん情報を取得し、前記薬剤の調剤の予約を受理する旨の情報を前記サーバに送信するステップを含む。
【００２４】
本発明の第３の側面においては、患者に対して発行された処方せんに関する処方せん情報と、前記患者を特定する識別情報とを対応付けて管理するサーバから、前記処方せん情報に含まれている前記処方せんを特定する処方せん特定情報、および調剤の予約を要求する薬剤を特定するための薬剤特定情報を含む調剤予約情報が受信され、前記調剤予約情報に含まれる前記処方せん特定情報に基づいて、前記サーバから前記処方せん特定情報により特定される前記処方せんの前記処方せん情報が取得され、前記薬剤の調剤の予約を受理する旨の情報が前記サーバに送信される。
【００２５】
本発明の第４の側面の情報処理装置は、患者の医療機関での診察の予約日を含む診察の予約に関する診察予約情報と、前記患者を特定する識別情報とを対応付けて記録する記録手段から、前記診察予約情報を取得する取得手段と、前記診察予約情報に含まれる前記診察の予約日が所定の条件を満たす場合、前記診察予約情報に基づいて、前記患者に対して前記診察の予約日を通知する診察予約通知を生成する生成手段と、前記診察予約情報に対応付けられた前記識別情報により特定される前記患者の連絡先を宛先として、前記診察予約通知を送信する送信手段とを備える。
【００２６】
前記生成手段には、前記診察予約通知として電子メールまたは音声メッセージを生成させることができる。
【００２７】
前記診察予約情報には、前記医療機関から前記患者への連絡事項が含まれており、前記生成手段には、前記連絡事項を含む前記診察予約通知を生成させることができる。
【００２８】
本発明の第４の側面の情報処理方法またはプログラムは、患者の医療機関での診察の予約日を含む診察の予約に関する診察予約情報と、前記患者を特定する識別情報とを対応付けて記録する記録手段から、前記診察予約情報を取得し、前記診察予約情報に含まれる前記診察の予約日が所定の条件を満たす場合、前記診察予約情報に基づいて、前記患者に対して前記診察の予約日を通知する診察予約通知を生成し、前記診察予約情報に対応付けられた前記識別情報により特定される前記患者の連絡先を宛先として、前記診察予約通知を送信するステップを含む。
【００２９】
本発明の第４の側面においては、患者の医療機関での診察の予約日を含む診察の予約に関する診察予約情報と、前記患者を特定する識別情報とを対応付けて記録する記録手段から、前記診察予約情報が取得され、前記診察予約情報に含まれる前記診察の予約日が所定の条件を満たす場合、前記診察予約情報に基づいて、前記患者に対して前記診察の予約日を通知する診察予約通知が生成され、前記診察予約情報に対応付けられた前記識別情報により特定される前記患者の連絡先を宛先として、前記診察予約通知が送信される。
【００３０】
本発明の第５の側面の情報処理装置は、患者の医療機関での診察の予約日を含む診察の予約に関する診察予約情報と、前記患者を特定する識別情報とを対応付けて管理するサーバから、前記診察予約情報の前記診察の予約日が所定の条件を満たす場合に送信されてくる、前記患者に対して前記診察の予約日を通知する診察予約通知を受信する受信手段と、受信した前記診察予約通知に基づいて、前記診察の予約日を前記患者に報知する報知手段とを備える。
【００３１】
前記診察予約通知を電子メールとし、前記報知手段には、前記電子メールを表示することで、前記診察の予約日を報知させることができる。
【００３２】
前記診察予約通知を音声メッセージとし、前記報知手段には、前記音声メッセージを出力することで、前記診察の予約日を報知させることができる。
【００３３】
本発明の第５の側面の情報処理方法またはプログラムは、患者の医療機関での診察の予約日を含む診察の予約に関する診察予約情報と、前記患者を特定する識別情報とを対応付けて管理するサーバから、前記診察予約情報の前記診察の予約日が所定の条件を満たす場合に送信されてくる、前記患者に対して前記診察の予約日を通知する診察予約通知を受信し、受信した前記診察予約通知に基づいて、前記診察の予約日を前記患者に報知するステップを含む。
【００３４】
本発明の第５の側面においては、患者の医療機関での診察の予約日を含む診察の予約に関する診察予約情報と、前記患者を特定する識別情報とを対応付けて管理するサーバから、前記診察予約情報の前記診察の予約日が所定の条件を満たす場合に送信されてくる、前記患者に対して前記診察の予約日を通知する診察予約通知が受信され、受信された前記診察予約通知に基づいて、前記診察の予約日が前記患者に報知される。
【００３５】
本発明の第６の側面の情報処理装置は、患者に対して処方された薬剤の服薬のタイミングを示す情報が含まれる、前記薬剤に関する調剤履歴情報と、前記患者を特定する識別情報とを対応付けて記録する記録手段から、前記調剤履歴情報を取得する取得手段と、前記調剤履歴情報の前記服薬のタイミングを示す情報が所定の条件を満たす場合、前記調剤履歴情報に基づいて、前記患者に対して前記薬剤の服薬を促す服薬通知を生成する生成手段と、前記調剤履歴情報に対応付けられた前記識別情報により特定される前記患者の連絡先を宛先として、前記服薬通知を送信する送信手段とを備える。
【００３６】
前記生成手段には、服薬すべき前記薬剤の数量と前記薬剤の画像とが含まれる電子メールを前記服薬通知として生成させることができる。
【００３７】
前記生成手段には、前記薬剤を所定の数量だけ服薬するように促す音声メッセージを前記服薬通知として生成させることができる。
【００３８】
本発明の第６の側面の情報処理方法またはプログラムは、患者に対して処方された薬剤の服薬のタイミングを示す情報が含まれる、前記薬剤に関する調剤履歴情報と、前記患者を特定する識別情報とを対応付けて記録する記録手段から、前記調剤履歴情報を取得し、前記調剤履歴情報の前記服薬のタイミングを示す情報が所定の条件を満たす場合、前記調剤履歴情報に基づいて、前記患者に対して前記薬剤の服薬を促す服薬通知を生成し、前記調剤履歴情報に対応付けられた前記識別情報により特定される前記患者の連絡先を宛先として、前記服薬通知を送信するステップを含む。
【００３９】
本発明の第６の側面においては、患者に対して処方された薬剤の服薬のタイミングを示す情報が含まれる、前記薬剤に関する調剤履歴情報と、前記患者を特定する識別情報とを対応付けて記録する記録手段から、前記調剤履歴情報が取得され、前記調剤履歴情報の前記服薬のタイミングを示す情報が所定の条件を満たす場合、前記調剤履歴情報に基づいて、前記患者に対して前記薬剤の服薬を促す服薬通知が生成され、前記調剤履歴情報に対応付けられた前記識別情報により特定される前記患者の連絡先を宛先として、前記服薬通知が送信される。
【００４０】
本発明の第７の側面の情報処理装置は、患者に対して処方された薬剤の服薬のタイミングを示す情報が含まれる、前記薬剤に関する調剤履歴情報と、前記患者を特定する識別情報とを対応付けて管理するサーバから、前記調剤履歴情報の前記服薬のタイミングを示す情報が所定の条件を満たす場合に送信されてくる、前記患者に対して前記薬剤の服薬を促す服薬通知を受信する受信手段と、受信した前記服薬通知に基づいて、前記薬剤の服薬を前記患者に報知する報知手段とを備える。
【００４１】
前記服薬通知を、服薬すべき前記薬剤の数量と前記薬剤の画像とが含まれる電子メールとし、前記報知手段には、前記電子メールを表示することで、前記薬剤の服薬を報知させることができる。
【００４２】
前記服薬通知を前記薬剤を所定の数量だけ服薬するように促す音声メッセージとし、前記報知手段には、前記音声メッセージを出力することで、前記薬剤の服薬を報知させることができる。
【００４３】
本発明の第７の側面の情報処理方法またはプログラムは、患者に対して処方された薬剤の服薬のタイミングを示す情報が含まれる、前記薬剤に関する調剤履歴情報と、前記患者を特定する識別情報とを対応付けて管理するサーバから、前記調剤履歴情報の前記服薬のタイミングを示す情報が所定の条件を満たす場合に送信されてくる、前記患者に対して前記薬剤の服薬を促す服薬通知を受信し、受信した前記服薬通知に基づいて、前記薬剤の服薬を前記患者に報知するステップを含む。
【００４４】
本発明の第７の側面においては、患者に対して処方された薬剤の服薬のタイミングを示す情報が含まれる、前記薬剤に関する調剤履歴情報と、前記患者を特定する識別情報とを対応付けて管理するサーバから、前記調剤履歴情報の前記服薬のタイミングを示す情報が所定の条件を満たす場合に送信されてくる、前記患者に対して前記薬剤の服薬を促す服薬通知が受信され、受信された前記服薬通知に基づいて、前記薬剤の服薬が前記患者に報知される。
【発明の効果】
【００４５】
本発明の第１の側面乃至第７の側面によれば、処方せんやお薬手帳を電子化した場合に、利便性を向上させることができる。
【図面の簡単な説明】
【００４６】
【図１】本発明を適用した情報処理システムの一実施の形態の構成例を示す図である。
【図２】携帯型端末装置の構成例を示す図である。
【図３】病院内データベースの構成例を示す図である。
【図４】患者基本情報テーブルの一例を示す図である。
【図５】処方せん発行履歴情報テーブルの一例を示す図である。
【図６】薬剤処方履歴情報テーブルの一例を示す図である。
【図７】薬局内データベースの構成例を示す図である。
【図８】薬剤調剤履歴情報テーブルの一例を示す図である。
【図９】薬剤在庫情報テーブルの一例を示す図である。
【図１０】処方せん／調剤データベースの構成例を示す図である。
【図１１】識別情報と患者の対応データベースの一例を示す図である。
【図１２】患者基本情報データベースの一例を示す図である。
【図１３】医師処方せん情報データベースの一例を示す図である。
【図１４】薬剤師調剤情報データベースの一例を示す図である。
【図１５】再診予約情報データベースの一例を示す図である。
【図１６】調剤予約情報テーブルの一例を示す図である。
【図１７】調剤予約処理および調剤予約書き込み処理を説明するフローチャートである。
【図１８】調剤受付処理を説明するフローチャートである。
【図１９】調剤予約情報送信処理を説明するフローチャートである。
【図２０】再診予約要求処理および再診予約情報記録処理を説明するフローチャートである。
【図２１】再診通知処理を説明するフローチャートである。
【図２２】再診通知受信処理を説明するフローチャートである。
【図２３】服薬通知処理を説明するフローチャートである。
【図２４】服薬通知受信処理を説明するフローチャートである。
【図２５】コンピュータの構成例を示す図である。
【発明を実施するための形態】
【００４７】
以下、図面を参照して、本発明を適用した実施の形態について説明する。
【００４８】
〈情報処理システムの構成例〉
図１は、本発明を適用した情報処理システムの一実施の形態の構成例を示す図である。
【００４９】
情報処理システムは、病院内システム１１、薬局内システム１２、データセンター１３、並びに患者であるユーザの所持するＩＣ（Integrated Circuit）カード１４および携帯型端末装置１５から構成される。また、病院内システム１１乃至データセンター１３は、インターネットなど、有線や無線のネットワークからなる通信網１６を介して、相互に接続されている。
【００５０】
病院内システム１１は、ＩＣカード１４および携帯型端末装置１５を所持する患者が通院する病院内に設けられており、識別情報リーダ３１、病院内装置３２、および病院内レセプトコンピュータ３３から構成される。また、病院内装置３２および病院内レセプトコンピュータ３３は、ローカルネットワークを介して相互に接続されており、このローカルネットワークは、ルータ等を介して通信網１６に接続されている。
【００５１】
識別情報リーダ３１は、患者のＩＣカード１４と無線通信し、ＩＣカード１４から患者に固有のＩＤである識別情報を読み出して病院内装置３２に供給する。
【００５２】
なお、患者を識別する識別情報を取得する契機となる媒体は、識別情報が直接記録されたＩＣカードに限らず、書き換えや置き換えが不可能な固有の媒体であればよい。例えば生体情報から固有の識別情報を取得する場合、識別情報を取得するための媒体は、人体の一部または全部などとされる。
【００５３】
病院内装置３２は、例えばコンピュータなどからなり、識別情報リーダ３１から供給された識別情報や、医師等の入力操作に応じて各種の処理を行う。病院内装置３２は、電子お薬手帳参照部４１、電子処方せん書込部４２、調剤予約部４３、再診予約部４４、通信部４５、および表示部４６を備えている。
【００５４】
電子お薬手帳参照部４１は、識別情報リーダ３１から供給された識別情報をキーとして、データセンター１３から、処方せんに関する情報、服用する薬剤に関する情報、患者自身に関する情報などを読み出す。
【００５５】
電子処方せん書込部４２は、病院内レセプトコンピュータ３３から患者の処方せんに関する情報を取得して、取得した情報のデータセンター１３への書き込みを行なう。調剤予約部４３は、識別情報リーダ３１から供給された識別情報に基づいて、患者に処方された薬剤の調剤予約に関する情報のデータセンター１３への書込みを行なう。
【００５６】
再診予約部４４は、識別情報リーダ３１から供給された識別情報に基づいて、患者の再診の予約に関する処理を行う。通信部４５は、ローカルネットワークや通信網１６を介して、他の装置との情報の送受信を行なう。表示部４６は、各種の情報や画像を表示する。
【００５７】
病院内レセプトコンピュータ３３は、病院内データベース４７を備えており、医師等の入力操作に応じて、病院内データベース４７に記録されている情報を更新する。例えば、病院内データベース４７には、患者に関する情報や処方せんに関する情報、患者に処方した薬剤に関する情報などが記録されている。
【００５８】
なお、病院内レセプトコンピュータ３３と病院内データベース４７は、それぞれ物理的に異なる装置とされてもよい。また、病院内レセプトコンピュータ３３、病院内装置３２、および識別情報リーダ３１が１つの装置から構成されるようにしてもよい。
【００５９】
薬局内システム１２は、患者が処方された薬剤を購入する薬局内に設けられており、識別情報リーダ６１、薬局内装置６２、および薬局内レセプトコンピュータ６３から構成される。また、薬局内装置６２および薬局内レセプトコンピュータ６３は、ローカルネットワークを介して相互に接続されており、このローカルネットワークは、ルータ等を介して通信網１６に接続されている。
【００６０】
識別情報リーダ６１は、患者のＩＣカード１４と無線通信し、ＩＣカード１４から患者に固有の識別情報を読み出して薬局内装置６２に供給する。
【００６１】
薬局内装置６２は、例えばコンピュータなどからなり、識別情報リーダ６１から供給された識別情報や、薬剤師等の入力操作に応じて各種の処理を行う。薬局内装置６２は、電子お薬手帳参照部７１、電子処方せん取込部７２、電子お薬手帳書込部７３、調剤予約部７４、通信部７５、および表示部７６を備えている。
【００６２】
電子お薬手帳参照部７１は、識別情報リーダ６１から供給された識別情報をキーとして、データセンター１３から、処方せんに関する情報、服用する薬剤に関する情報、患者自身に関する情報などを読み出す。
【００６３】
電子処方せん取込部７２は、識別情報リーダ６１からの識別情報をキーとして、データセンター１３から処方せんに関する情報や患者自身に関する情報を取得し、取得した情報から必要な情報を抽出して薬局内レセプトコンピュータ６３に供給する。
【００６４】
電子お薬手帳書込部７３は、患者のために調剤した薬剤に関する情報のデータセンター１３への書き込みを行なう。調剤予約部７４は、患者に処方された薬剤の調剤予約に関する情報を、データセンター１３から取り込む。通信部７５は、ローカルネットワークや通信網１６を介して、他の装置との情報の送受信を行なう。表示部７６は、各種の情報や画像を表示する。
【００６５】
薬局内レセプトコンピュータ６３は、薬局内データベース７７を備えており、薬剤師等の入力操作に応じて、薬局内データベース７７に記録されている情報を更新する。例えば薬局内データベース７７には、患者に関する情報や患者のために調剤した薬剤に関する情報、薬剤の在庫に関する情報などが記録されている。
【００６６】
なお、薬局内レセプトコンピュータ６３と薬局内データベース７７は、それぞれ物理的に異なる装置とされてもよい。また、薬局内レセプトコンピュータ６３、薬局内装置６２、および識別情報リーダ６１が１つの装置から構成されるようにしてもよい。
【００６７】
データセンター１３は、データサーバ９１および情報通知用サーバ９２から構成される。データサーバ９１と情報通知用サーバ９２は、ローカルネットワークを介して相互に接続されており、このローカルネットワークは、ルータ等を介して通信網１６に接続されている。
【００６８】
データサーバ９１は、処方せん／調剤データベース１０１、通信部１０２、および更新部１０３を備えており、処方せん／調剤データベース１０１には、病院内システム１１や薬局内システム１２から供給された各種の情報が記録されている。
【００６９】
通信部１０２は、ローカルネットワークや通信網１６を介して、他の装置との情報の送受信を行なう。また、更新部１０３は、処方せん／調剤データベース１０１に記録されている各種の情報を更新する。
【００７０】
情報通知用サーバ９２は、監視部１０４、通信部１０５、再診通知部１０６、および服薬通知部１０７を備えている。
【００７１】
監視部１０４は、必要に応じて、データサーバ９１の処方せん／調剤データベース１０１を定期的に監視する。通信部１０５は、ローカルネットワークや通信網１６を介して、他の装置との情報の送受信を行なう。
【００７２】
再診通知部１０６は、監視部１０４による監視の結果に応じて、患者の病院での再診予約（診察予約）の通知に関する処理を行う。服薬通知部１０７は、監視部１０４による監視の結果に応じて、患者の服薬の通知に関する処理を行う。
【００７３】
また、情報通知用サーバ９２は、患者の再診予約の通知や服薬通知に関する処理を行う場合、通信網１６を介して患者の携帯型端末装置１５と通信し、各種の通知を行う。なお、通信網１６には図示せぬ基地局が接続されており、基地局は、携帯型端末装置１５と無線通信することで、情報通知用サーバ９２からの情報を携帯型端末装置１５に送信する。
【００７４】
なお、病院内システム１１乃至データセンター１３において行なわれる処理の一部が、人手による作業によって実現されるようにしてもよい。
【００７５】
〈携帯型端末装置の構成例〉
さらに、図１の携帯型端末装置１５は、例えば図２に示すように構成される。
【００７６】
すなわち、携帯型端末装置１５は、通信部１２１、マイクロホン１２２、スピーカ１２３、入力部１２４、制御部１２５、表示部１２６、および記録部１２７から構成される。
【００７７】
例えば、携帯型端末装置１５は、携帯電話機などとされ、通信網１６に接続された図示せぬ基地局を介して通話処理や電子メールの送受信処理を行う。
【００７８】
通信部１２１は、基地局と無線通信し、各種の情報の送受信を行なう。マイクロホン１２２は、患者が発した音声を収音し、その結果得られた音声データを、制御部１２５を介して通信部１２１に供給する。スピーカ１２３は、基地局から送信され、通信部１２１で受信された音声データを、制御部１２５を介して通信部１２１から取得するとともに、取得した音声データに基づいて、音声を出力する。
【００７９】
入力部１２４は、患者に操作されるボタンなどからなり、患者の操作に応じた信号を制御部１２５に供給する。制御部１２５は、携帯型端末装置１５全体の動作を制御する。例えば、制御部１２５は、通信部１２１から供給された電子メール等を表示部１２６に表示させたり、通信部１２１から供給された各種のデータを記録部１２７に供給して記録させたりする。
【００８０】
表示部１２６は、液晶パネルなどからなり、制御部１２５から供給された画像等を表示する。記録部１２７は、不揮発性のメモリなどからなり、制御部１２５から供給されたデータを記録する。
【００８１】
〈病院内データベースについて〉
［病院内データベースの構成例］
次に、図１の病院内レセプトコンピュータ３３の病院内データベース４７、薬局内レセプトコンピュータ６３の薬局内データベース７７、およびデータサーバ９１の処方せん／調剤データベース１０１に記録されている各情報の具体例について説明する。
【００８２】
まず、病院内レセプトコンピュータ３３に設けられた病院内データベース４７について説明する。病院内データベース４７には、例えば図３に示すように、患者基本情報テーブル１５１、処方せん発行履歴情報テーブル１５２、および薬剤処方履歴情報テーブル１５３が記録されている。
【００８３】
患者基本情報テーブル１５１には、患者の氏名など、患者自身に関する情報である患者基本情報が含まれている。この患者基本情報は、医師等が病院内レセプトコンピュータ３３を操作することにより予め入力される。
【００８４】
処方せん発行履歴情報テーブル１５２には、医師により患者に対して発行された処方せんに関する情報である処方せん発行履歴情報が含まれている。薬剤処方履歴情報テーブル１５３には、医師により患者に対して処方された薬剤に関する情報である薬剤処方履歴情報が含まれている。これらの処方せん発行履歴情報および薬剤処方履歴情報は、医師が患者に対して処方せんを発行するたびに、医師等による病院内レセプトコンピュータ３３の操作により入力される。
【００８５】
［患者基本情報テーブルについて］
より詳細には、患者基本情報テーブル１５１は、図４に示すように、各患者の患者基本情報から構成される。各患者の患者基本情報には、「患者番号」、「保険者番号」、「被保険者証記号・番号」、「氏名」、「生年月日」、「住所」、「電話番号」、「メールアドレス」、および「性別」が含まれている。ここで、各患者基本情報に含まれる「患者番号」は、病院が患者に対して独自に付与する識別番号である。
【００８６】
例えば、「患者番号」が「１」である患者の患者基本情報には、患者番号「１」、保険者番号「06223118」、被保険者証記号・番号「123-344928」、氏名「田中太郎」、生年月日「1975.10.26」、住所「千葉県柏市南柏5-2-33」、電話番号「04-7167-2293」、メールアドレス「taroh@ibm.com」、および性別「男」が含まれている。
【００８７】
［処方せん発行履歴情報テーブルについて］
また、図３の処方せん発行履歴情報テーブル１５２は、図５に示すように、患者に対して発行された処方せんについての処方せん発行履歴情報から構成される。処方せん発行履歴情報は、医師が医療行為として投薬を行い、処方せんを発行した場合において、処方せんごとに保持される情報である。
【００８８】
各処方せん発行履歴情報には、「処方せん番号」、「患者番号」、「処方せん発行日時」、および「ジェネリック変更の可否」が含まれている。
【００８９】
ここで、「処方せん番号」は、医師が発行した各処方せんに対して、病院により独自に付与される識別番号である。また、「ジェネリック変更の可否」は、処方薬の代替薬として医師がジェネリック、つまり後発薬を許可するか否かを示す情報である。
【００９０】
例えば、「処方せん番号」が「１」である処方せんについての処方せん発行履歴情報には、処方せん番号「１」、患者番号「１」、処方せん発行日時「20080514 13：09：44」、およびジェネリック変更の可否「許可する」が含まれている。
【００９１】
したがって、この処方せん番号「１」により特定される処方せんは、図４に示した患者番号が「１」であり、氏名が「田中太郎」である患者に対して、２００８年５月１４日の１３時９分に発行されたものであることが分かる。また、この処方せんの発行時には、医師が処方薬のジェネリックへの変更を許可したことが分かる。
【００９２】
［薬剤処方履歴情報テーブルについて］
さらに、図３の薬剤処方履歴情報テーブル１５３は、図６に示すように、医師により患者に対して処方された薬剤についての薬剤処方履歴情報から構成される。薬剤処方履歴情報には、処方せんに含まれる実際の薬剤の情報や、患者から報告のあった副作用に関する情報が含まれている。
【００９３】
すなわち、各薬剤処方履歴情報には、「通し番号」、「処方せん番号」、「処方薬ＩＤ」、「処方薬名」、「種別」、「処方分日数」、「使用頻度」、「１回当たり数量」、「副作用発生日」、および「副作用内容」が含まれている。
【００９４】
ここで、「処方せん番号」は、医師により発行された処方せんを特定するための番号であり、この「処方せん番号」は、図５の処方せん発行履歴情報に含まれる「処方せん番号」と共通して用いられる番号である。したがって、同じ処方せん番号が含まれる薬剤処方履歴情報と処方せん発行履歴情報には、同一の処方せんについての情報が含まれている。
【００９５】
「処方薬ＩＤ」は、処方された薬剤を特定する情報であり、例えば標準医薬品マスターなどの公開データベースで用いられているＩＤ等とされる。
【００９６】
なお、「処方薬ＩＤ」は、病院内システム１１においてのみではなく、薬局内システム１２やデータセンター１３においても、その処方薬ＩＤから薬剤を特定できるように定められる。
【００９７】
薬剤処方履歴情報の「種別」とは、内服、外用などの処方薬の服薬方法等を示す情報である。なお、「種別」には、服薬方法の他、錠剤や顆粒などの処方薬の製品形態を示す情報が含まれるようにしてもよい。
【００９８】
薬剤処方履歴情報に含まれる「処方分日数」は、何日分の薬剤が処方されたかを示す情報であり、「使用頻度」は、就寝前、食後等の処方薬の服用タイミングと、１日の服用回数とを示す情報である。また、薬剤処方履歴情報の「１回当たり数量」とは、１錠や１袋など、処方薬の１回当たりの服用数量を示す情報である。
【００９９】
さらに、「副作用発生日」および「副作用内容」は、患者が処方薬の服用により副作用が生じた日時と、例えば「胃が痛くなり吐き気をもよおした」など、その副作用の内容を示す情報である。なお、「副作用発生日」および「副作用内容」の欄は、医師や看護師等が患者から副作用の報告を受けた場合に書き込まれる。
【０１００】
ここで、患者から報告があった副作用とは、以前処方した薬に対して、後日患者を診察した際に医師等が報告を受けた症状のことをいう。これらの「副作用発生日」や「副作用内容」の書き込みは、医師等が病院内レセプトコンピュータ３３を操作することにより行なわれる。
【０１０１】
なお、薬剤処方履歴情報テーブル１５３に含まれる薬剤処方履歴情報は、処方薬ごとに生成される。すなわち、同じ処方せんにより、複数の薬剤が処方された場合には、それらの薬剤（処方薬）ごとに薬剤処方履歴情報が生成される。
【０１０２】
例えば、通し番号が「１」と「２」の薬剤処方履歴情報には、同じ処方せん番号「１」が含まれている。したがって、通し番号「１」の薬剤処方履歴情報についての処方薬「デパス錠0.5mg」は、通し番号「２」の薬剤処方履歴情報についての処方薬「セレスタミン錠」と同じ処方せんによって処方された薬剤であることが分かる。
【０１０３】
〈薬局内データベースについて〉
［薬局内データベースの構成例］
次に、薬局内レセプトコンピュータ６３に設けられた薬局内データベース７７について説明する。薬局内データベース７７には、例えば図７に示すように、患者基本情報テーブル１８１、薬剤調剤履歴情報テーブル１８２、および薬剤在庫情報テーブル１８３が記録されている。
【０１０４】
患者基本情報テーブル１８１には、患者の氏名など、患者自身に関する情報である患者基本情報が含まれている。この患者基本情報は、薬剤師等が薬局内レセプトコンピュータ６３を操作することにより予め入力される。
【０１０５】
例えば、患者基本情報テーブル１８１は、図４の患者基本情報テーブル１５１と同様の情報とされる。なお、患者基本情報テーブル１８１と患者基本情報テーブル１５１は、病院や薬局ごとに個別に生成されるようにしてもよいし、共通のものが用いられるようにしてもよい。
【０１０６】
薬剤調剤履歴情報テーブル１８２には、薬剤師により患者のために調剤された薬剤に関する情報である薬剤調剤履歴情報が含まれている。薬剤調剤履歴情報は、薬剤師が処方せんにしたがって薬剤を調剤するたびに、薬剤師等による薬局内レセプトコンピュータ６３の操作により入力される。
【０１０７】
薬剤在庫情報テーブル１８３は、薬局内システム１２が設けられた薬局における、薬剤の在庫状況に関する情報であり、薬剤在庫情報テーブル１８３には、薬剤ごとに、その薬剤の在庫状況を示す薬剤在庫情報が含まれている。この薬剤在庫情報テーブル１８３は、薬剤の調剤が行なわれるごとに更新される。
【０１０８】
［薬剤調剤履歴情報テーブルについて］
図７の薬剤調剤履歴情報テーブル１８２は、図８に示すように、薬剤師により調剤された薬剤の薬剤調剤履歴情報から構成される。各薬剤調剤履歴情報には、「通し番号」、「患者番号」、「調剤日時」、「調剤薬ＩＤ」、「調剤薬名」、「種別」、「処方分日数」、「使用頻度」、「１回当たり数量」、「副作用発生日」、および「副作用内容」が含まれている。
【０１０９】
ここで、「患者番号」は、患者基本情報テーブル１８１の患者基本情報に含まれている患者番号と同じものである。したがって、薬剤調剤履歴情報に含まれる「患者番号」と同じ患者番号の患者基本情報を検索することにより、薬剤調剤履歴情報についての薬剤が、どの患者のために調剤されたものであるかを特定することができる。
【０１１０】
「調剤薬ＩＤ」は、調剤された薬剤を特定する情報であり、例えば標準医薬品マスターなどの公開データベースで用いられているＩＤ等とされる。なお、「調剤薬ＩＤ」により特定される薬剤は、特定商品等の薬剤の固有名称とされる。
【０１１１】
また、薬剤調剤履歴情報に含まれる「種別」、「処方分日数」、「使用頻度」、「１回当たり数量」、「副作用発生日」、および「副作用内容」は、図６の薬剤処方履歴情報における「種別」乃至「副作用内容」と同様の情報である。
【０１１２】
なお、薬剤調剤履歴情報の「副作用発生日」および「副作用内容」の欄は、薬剤師等が患者から副作用の報告を受けた場合に書き込まれる。「副作用発生日」や「副作用内容」の書き込みは、薬剤師等が薬局内レセプトコンピュータ６３を操作することにより行なわれる。
【０１１３】
薬剤調剤履歴情報に含まれる副作用に関する情報は、薬剤師等に報告があった場合に書き込まれるので、同じ患者の副作用に関する情報が薬剤調剤履歴情報と、病院内データベース４７の薬剤処方履歴情報テーブル１５３との両方に含まれているとは限らない。なお、データセンター１３により、病院内システム１１と薬局内システム１２とで、各患者の副作用に関する情報が共有されるようにしてもよい。
【０１１４】
［薬剤在庫情報テーブルについて］
また、図７の薬局内データベース７７を構成する薬剤在庫情報テーブル１８３は、例えば図９に示すように、薬局にある各薬剤の在庫状況（薬剤の残量）を示す薬剤在庫情報から構成される。各薬剤の薬剤在庫情報には「通し番号」、「薬ＩＤ」、「薬名」、「対応先発薬ＩＤ」、「対応先発薬名」、および「在庫量」が含まれている。
【０１１５】
ここで、「薬ＩＤ」は、薬局内にある薬剤を特定する情報であり、例えば標準医薬品マスターなどの公開データベースで用いられているＩＤ等とされる。また、「対応先発薬ＩＤ」は、「薬ＩＤ」により特定される薬剤の先発薬を特定するＩＤであり、「対応先発薬名」は、「対応先発薬ＩＤ」により特定される先発薬の薬名である。
【０１１６】
なお、「対応先発薬ＩＤ」は、「薬ＩＤ」により特定される薬剤がジェネリックであり、その薬剤の先発薬がある場合にのみ書き込まれる。
【０１１７】
〈処方せん／調剤データベースについて〉
［処方せん／調剤データベースの構成例］
さらに、図１のデータサーバ９１に設けられた処方せん／調剤データベース１０１について説明する。例えば、処方せん／調剤データベース１０１には、図１０に示すように、識別情報と患者の対応データベース２１１、患者毎データベース２１２、薬名データベース２１３、および調剤予約情報テーブル２１４が記録されている。
【０１１８】
識別情報と患者の対応データベース２１１には、患者が所持するＩＣカード１４に記録されている識別情報と、患者を特定する情報とが対応付けて記録されている。
【０１１９】
患者毎データベース２１２には、患者に関する各種の情報が含まれている。具体的には、患者毎データベース２１２には、患者基本情報データベース２２１、医師処方せん情報データベース２２２、薬剤師調剤情報データベース２２３、および再診予約情報データベース２２４が含まれている。
【０１２０】
なお、より詳細には、患者毎データベース２１２に含まれている各情報は、所定の方式により暗号化された状態とされている。
【０１２１】
患者基本情報データベース２２１には、患者の保険者番号や生年月日、連絡先など、患者自身に関する情報が含まれており、医師処方せん情報データベース２２２には、患者に対して発行された処方せんに関する情報が含まれている。また、薬剤師調剤情報データベース２２３には、患者のために調剤された薬剤に関する情報が含まれており、再診予約情報データベース２２４には、患者の病院での再診に関する情報が含まれている。
【０１２２】
なお、患者毎データベース２１２は、識別情報と患者の対応データベース２１１に登録されている患者の数だけ、それらの患者ごとに記録されている。つまり、処方せん／調剤データベース１０１には、複数の患者毎データベース２１２が記録されている。
【０１２３】
薬名データベース２１３は、例えば標準医薬品マスターなどの公開データベースなどとされる。薬名データベース２１３には、各薬剤を特定する薬剤ＩＤ、薬名、対応するジェネリックの薬剤ＩＤ、ジェネリックの薬名、薬剤の単価、薬剤の数量単位等の情報が含まれている。調剤予約情報テーブル２１４には、患者による処方薬の調剤予約に関する情報が含まれている。
【０１２４】
なお、識別情報と患者の対応データベース２１１乃至薬名データベース２１３と、調剤予約情報テーブル２１４とは、それぞれ異なるサーバに記録されるようにしてもよい。
【０１２５】
［識別情報と患者の対応データベースについて］
また、図１０の識別情報と患者の対応データベース２１１は、例えば図１１に示す対応テーブルから構成される。
【０１２６】
図１１の対応テーブルには、患者が所持するＩＣカード１４に記録されている「識別情報」と、「患者毎データベース名」とが対応付けられて記録されている。ここで、「患者毎データベース名」は、「識別情報」により特定される患者の患者毎データベース２１２の名前を示す情報である。
【０１２７】
このように、データサーバ９１では、識別情報と患者の対応データベース２１１によって、患者を特定する識別情報と、各患者の情報とが対応付けられて管理されている。
【０１２８】
なお、各患者の患者毎データベース２１２の名前が、患者のＩＣカード１４に記録されている識別情報と同じ名前とされる場合には、識別情報と患者の対応データベース２１１は不要となる。また、適切な手法により、識別情報と患者毎データベース２１２の対応関係を外部から推測できないようにセキュリティ対策を施すことも可能である。
【０１２９】
［患者基本情報データベースについて］
また、図１０の患者基本情報データベース２２１は、例えば図１２に示す患者基本情報テーブル２５１と、副作用情報テーブル２５２とから構成される。
【０１３０】
患者基本情報テーブル２５１には、患者の「保険者番号」、「被保険者証記号・番号」、「生年月日」、「電話番号」、「メールアドレス」、「ジェネリック希望」、「薬剤形状希望」、「朝食時間」、「昼食時間」、「夕食時間」、および「就寝時間」が含まれている。
【０１３１】
ここで、「ジェネリック希望」は、処方薬の代替薬として患者がジェネリック、つまり後発薬を希望するか否かを示す情報である。「薬剤形状希望」は、粉末や錠剤、液体など、患者が希望する処方薬の製品形態（形状）を示す情報である。
【０１３２】
また、「朝食時間」、「昼食時間」、「夕食時間」、および「就寝時間」は、患者の朝食の時間、昼食の時間、夕食の時間、および就寝の時間を示す情報である。
【０１３３】
患者基本情報テーブル２５１に含まれる情報は、各患者等により予め入力されている。なお、患者基本情報テーブル２５１は、データサーバ９１により、病院内システム１１や薬局内システム１２から取得された患者基本情報に基づいて生成されるようにしてもよい。
【０１３４】
また副作用情報テーブル２５２には、副作用が発生した日を示す「日付」、副作用を起こした薬剤を特定する「副作用を起こした薬ＩＤ」、副作用を起こした薬剤名を示す「副作用を起こした薬名」、および副作用の具体的な内容を示す「副作用内容」が含まれている。
【０１３５】
この副作用情報テーブル２５２は、必要に応じて病院内システム１１や薬局内システム１２から、患者の副作用に関する情報が含まれている薬剤処方履歴情報や薬剤調剤履歴情報が供給されると、更新される。
【０１３６】
［医師処方せん情報データベースについて］
また、図１０の医師処方せん情報データベース２２２は、例えば図１３に示すように、処方せん履歴インデックステーブル２８１と、処方せん履歴情報テーブル２８２とから構成される。
【０１３７】
処方せん履歴インデックステーブル２８１には、各病院で医師により発行された処方せんに関する情報である処方せん履歴インデックスが含まれている。各処方せん履歴インデックスには、「処方せんＩＤ」、「処方せん情報書き込み日時」、「医療機関名」、「医師名」、「医療機関連絡先」、「ジェネリック変更の可否」、および「薬局調剤状態」が含まれている。
【０１３８】
「処方せんＩＤ」は、各処方せんを特定するためにデータサーバ９１により付加されたＩＤであり、「医療機関名」、「医師名」、および「医療機関連絡先」は、それぞれ処方せんを発行した医療機関の名称、医師名、およびその医療機関の連絡先である。
【０１３９】
また、「ジェネリック変更の可否」は、処方薬の代替薬として医師がジェネリックを許可するか否かを示す情報であり、「薬局調剤状態」は、処方せんによって処方された薬剤の薬局における調剤状態を示す情報である。
【０１４０】
例えば、薬局において実際に処方薬の調剤が完了している場合、「薬局調剤状態」は「調剤済」とされ、患者による調剤予約は完了しているが、薬局による調剤は完了していない場合、「薬局調剤状態」は「調剤予約済」とされる。また、患者による調剤予約も実際の調剤も行なわれていない場合、「薬局調剤状態」は「未調剤」とされる。
【０１４１】
処方せん履歴情報テーブル２８２には、処方せん履歴インデックステーブル２８１に含まれる処方せんＩＤにより特定される処方せんごとに、その処方せんに関する情報である処方せん履歴情報が含まれている。処方せん履歴情報には、「通し番号」、「処方せんＩＤ」、「処方薬識別ＩＤ」、「処方分日数」、「使用頻度」、および「１回当たり数量」が含まれている。
【０１４２】
ここで、処方せん履歴情報における「処方せんＩＤ」は、処方せん履歴インデックステーブル２８１の処方せん履歴インデックスに含まれる「処方せんＩＤ」と同じものである。したがって、同じ処方せんＩＤが含まれている、処方せん履歴インデックスと処方せん履歴情報には、同じ処方せんについての情報が含まれている。
【０１４３】
また、「処方薬識別ＩＤ」は、処方せんＩＤにより特定される処方せんによって処方された薬剤を特定するＩＤであり、例えば標準医薬品マスターなどの公開データベースで用いられているＩＤ等とされる。
【０１４４】
処方せん履歴インデックステーブル２８１と処方せん履歴情報テーブル２８２は、医師により処方せんが発行され、病院内システム１１から処方せんに関する情報が供給されるたびに更新される。
【０１４５】
［薬剤師調剤情報データベースについて］
さらに、図１０の薬剤師調剤情報データベース２２３は、例えば、図１４に示すように、調剤履歴インデックステーブル３０１と調剤履歴情報テーブル３０２とから構成される。これらの調剤履歴インデックステーブル３０１と調剤履歴情報テーブル３０２には、医師により発行された処方せんにしたがって調剤された薬剤に関する情報が含まれている。
【０１４６】
具体的には、調剤履歴インデックステーブル３０１は、各処方せんに従った調剤の履歴に関する情報である調剤履歴インデックスからなる。調剤履歴インデックステーブル３０１の処方せんごとの調剤履歴インデックスには、「調剤履歴ＩＤ」、「調剤情報書き込み日時」、「薬局名」、「薬剤師名」、および「薬局連絡先」が含まれている。
【０１４７】
ここで、「調剤履歴ＩＤ」は、各調剤履歴インデックスを特定するためのＩＤであり、「薬局名」、「薬剤師名」、および「薬局連絡先」は、調剤が行なわれた薬局名、調剤を行なった薬剤師名、および調剤が行なわれた薬局の電話番号を示す情報である。
【０１４８】
また、調剤履歴情報テーブル３０２は、調剤履歴インデックステーブル３０１に含まれる調剤履歴インデックスに対応する調剤の結果得られた薬剤ごとに生成された、その薬剤の調剤の履歴を示す調剤履歴情報からなる。
【０１４９】
調剤履歴情報テーブル３０２の各調剤履歴情報には、「通し番号」、「調剤履歴ＩＤ」、「調剤薬識別ＩＤ」、「調剤分日数」、「使用頻度」、および「１回当たり数量」が含まれている。
【０１５０】
ここで、調剤履歴情報に含まれる「調剤履歴ＩＤ」は、その調剤履歴情報が、調剤履歴インデックステーブル３０１のどの調剤履歴インデックスに対応する情報であるかを示している。また、「調剤薬識別ＩＤ」は、調剤履歴インデックスに対応する調剤行為により調剤された薬剤を特定するＩＤであり、例えば標準医薬品マスターなどの公開データベースで用いられているＩＤ等とされる。
【０１５１】
例えば、「通し番号」が「１」および「２」の調剤履歴情報には、同じ調剤履歴ＩＤ「１」が含まれているので、これらの調剤履歴情報は、調剤履歴インデックステーブル３０１の調剤履歴ＩＤ「１」が含まれる調剤履歴インデックスに対応する情報である。この例では、調剤履歴ＩＤ「１」により特定される調剤履歴インデックスに対応する、１つの処方せんにしたがった調剤によって、調剤薬識別ＩＤが「1014853020101」および「1053074010101」により特定される２つの薬剤が調剤されたことが分かる。
【０１５２】
なお、図６の薬剤処方履歴情報テーブル１５３、図８の薬剤調剤履歴情報テーブル１８２、図９の薬剤在庫情報テーブル１８３、図１２の副作用情報テーブル２５２、図１３の処方せん履歴情報テーブル２８２、および図１４の調剤履歴情報テーブル３０２には、それぞれ薬剤を特定する情報として、「処方薬ＩＤ」、「調剤薬ＩＤ」、「薬ＩＤ」、「副作用を起こした薬ＩＤ」、「処方薬識別ＩＤ」、および「調剤薬識別ＩＤ」が含まれている。
【０１５３】
これらの薬剤を特定するＩＤには、予め定められた共通のＩＤが用いられる。つまり、これらのＩＤが同じである場合には、そのＩＤにより同一の薬剤が特定されるようになされている。なお、ＩＤにより特定される薬剤の名称が一般名称である場合には、そのＩＤから、複数の固有の薬剤が特定される場合もある。
【０１５４】
また、調剤履歴情報テーブル３０２の「使用頻度」は、調剤された薬剤の使用頻度、すなわち１日の薬剤の服薬回数と、その服薬のタイミングを示す情報である。
【０１５５】
薬剤師調剤情報データベース２２３を構成する調剤履歴インデックステーブル３０１と調剤履歴情報テーブル３０２は、薬局において処方薬の調剤が行なわれるたびに更新される。
【０１５６】
［再診予約情報データベースについて］
図１０の再診予約情報データベース２２４には、例えば図１５に示すように、患者の病院での再診予約に関する情報である再診予約情報が含まれている。各再診予約情報には、「通し番号」、「次回来院予定日」、「医療機関名」、「連絡事項」、および「来院予約システムＵＲＬ」が含まれている。
【０１５７】
ここで、「連絡事項」には、患者が次回の来院時に必要なものなど、病院側から患者側への連絡事項の情報が含まれている。また、「来院予約システムＵＲＬ」には、ウェブページ等を利用して来院予約を行なう場合における、ウェブページのアクセス先を示す情報が含まれている。
【０１５８】
再診予約情報データベース２２４は、患者が病院等において、再診の予約をするたびに更新される。
【０１５９】
［調剤予約情報テーブルについて］
さらに、図１０の調剤予約情報テーブル２１４は、例えば図１６に示すように、医師から患者に処方された薬剤の調剤の予約に関する情報である調剤予約情報からなる。各調剤予約情報には、「通し番号」、「調剤予約日時」、「患者毎データベース名」、「処方せんＩＤ」、「送信先薬局ＩＤ」、および「薬局受理フラグ」が含まれている。
【０１６０】
ここで、「患者毎データベース名」には、どの患者の調剤予約情報であるかを特定するための情報が含まれている。具体的には、例えば「患者毎データベース名」には、患者についての患者毎データベース２１２の名前を示す情報が含まれている。
【０１６１】
また、「処方せんＩＤ」は、図１３の処方せん履歴インデックスや処方せん履歴情報に含まれる処方せんＩＤと同じであり、患者の処方せんを特定するための情報である。さらに、「送信先薬局ＩＤ」は処方薬の調剤の予約先を示す情報であり、「薬局受理フラグ」は、処方薬の調剤の予約先の薬局により、処方薬の調剤予約が受け付けられたか否かを示す情報である。例えば、薬局受理フラグ「受理」は、調剤が受け付けられたことを示しており、薬局受理フラグ「不受理」は、調剤が受け付けられなかったことを示している。
【０１６２】
調剤予約情報テーブル２１４は、患者により処方薬の調剤予約がされるたびに更新される。
【０１６３】
〈情報処理システムの動作について〉
［病院における電子お薬手帳等の参照について］
次に、情報処理システムを構成する各装置の動作について説明する。
【０１６４】
例えば、患者は病院内において、病院内システム１１を利用して自分が服薬している薬剤等に関する情報を確認することができる。
【０１６５】
具体的には、患者は病院での診察時等において、所持しているＩＣカード１４を識別情報リーダ３１にかざす。ＩＣカード１４が識別情報リーダ３１に充分な距離だけ近付けられると、ＩＣカード１４と識別情報リーダ３１は無線通信を行う。つまり識別情報リーダ３１は、ＩＣカード１４から患者の識別情報を読み出して、病院内装置３２に供給する。
【０１６６】
病院内装置３２の電子お薬手帳参照部４１は、通信部４５に、識別情報リーダ３１からの識別情報を、通信網１６を介してデータサーバ９１に送信させ、患者基本情報データベース２２１乃至薬剤師調剤情報データベース２２３に含まれる情報の送信を要求する。
【０１６７】
データサーバ９１は、病院内装置３２から送信された識別情報を受信すると、病院内装置３２から要求された情報を検索し、その結果得られた情報を病院内装置３２に送信する。
【０１６８】
すなわち、データサーバ９１は、識別情報と患者の対応データベース２１１を参照して、受信した識別情報により特定される患者毎データベース名を検索する。そしてデータサーバ９１は、検索で得られた患者毎データベース名の患者毎データベース２１２から、患者基本情報データベース２２１乃至薬剤師調剤情報データベース２２３に含まれる情報を抽出し、抽出した情報を、通信網１６を介して病院内装置３２に送信する。より具体的には、例えば患者基本情報テーブル２５１、副作用情報テーブル２５２、処方せん履歴インデックステーブル２８１、処方せん履歴情報テーブル２８２、調剤履歴インデックステーブル３０１、および調剤履歴情報テーブル３０２から必要に応じて抽出された情報が病院内装置３２に送信される。
【０１６９】
病院内装置３２の通信部４５が、データサーバ９１から患者基本情報データベース２２１乃至薬剤師調剤情報データベース２２３に含まれる情報を受信すると、電子お薬手帳参照部４１は、それらの情報を適宜加工して必要な情報を表示部４６に表示させる。これにより、患者や医師は、患者自身に関する基本的な情報、これまでの診察の処方せんに関する情報、処方薬剤やその処方薬の調剤履歴に関する情報などを確認できるようになり、これらの情報を診察等に役立てることができる。
【０１７０】
なお、患者基本情報データベース２２１乃至薬剤師調剤情報データベース２２３に含まれる情報は、病院内装置３２に限らず病院内レセプトコンピュータ３３に表示されるようにしてもよい。
【０１７１】
［電子処方せん書き込みについて］
病院において医師による診察が終了すると、医師は必要に応じて患者に対し処方せんを発行する。また、医師等は、病院内レセプトコンピュータ３３を操作して、発行した処方せんや処方薬に関する情報を入力し、病院内データベース４７の処方せん発行履歴情報テーブル１５２および薬剤処方履歴情報テーブル１５３の更新を指示する。
【０１７２】
すると、病院内レセプトコンピュータ３３は、医師等の操作に応じて、処方せん発行履歴情報テーブル１５２に、新たな処方せん発行履歴情報を追加するとともに、薬剤処方履歴情報テーブル１５３に、新たな薬剤処方履歴情報を追加する。
【０１７３】
このようにして新たな処方せんに関する情報が病院内データベース４７に記録されると、病院内レセプトコンピュータ３３は、処方せん発行履歴情報や薬剤処方履歴情報に基づいて、レセプト用の申請書を出力したり、オンラインでレセプトの請求を行なったりすることが可能となる。
【０１７４】
また、病院内データベース４７が更新されると、医師等は病院内装置３２を操作して電子処方せんの書き込み、すなわち処方せん／調剤データベース１０１の医師処方せん情報データベース２２２の更新を指示する。このとき、患者は、ＩＣカード１４を識別情報リーダ３１にかざし、識別情報リーダ３１は、ＩＣカード１４から識別情報を読み出して病院内装置３２に供給する。
【０１７５】
すると、病院内装置３２の通信部４５は、識別情報リーダ３１から供給された識別情報をデータサーバ９１に送信し、患者基本情報データベース２２１の送信を要求する。データサーバ９１は、識別情報と患者の対応データベース２１１を参照して、病院内装置３２から受信した識別情報に対応する患者毎データベース名を特定する。さらに、データサーバ９１は、その患者毎データベース名の患者毎データベース２１２内の患者基本情報データベース２２１を取得して、病院内装置３２に送信する。
【０１７６】
病院内装置３２の通信部４５が、データサーバ９１から患者基本情報データベース２２１を受信すると、電子処方せん書込部４２は、病院内レセプトコンピュータ３３の病院内データベース４７を参照し、患者基本情報データベース２２１を用いて患者を特定する。例えば、電子処方せん書込部４２は、患者基本情報テーブル１５１から、受信した患者基本情報データベース２２１に含まれる保険者番号と同じ番号の患者基本情報を検索することで、患者を特定する。
【０１７７】
さらに、電子処方せん書込部４２は、病院内レセプトコンピュータ３３から、特定した患者についての処方せん発行履歴情報と薬剤処方履歴情報を取得して、これらの情報のうちの必要な情報を通信部４５を制御してデータサーバ９１に送信させる。このとき電子処方せん書込部４２は、必要に応じて、医療機関名、処方せんを発行した医師名、医療機関連絡先などの情報もデータサーバ９１に送信させる。
【０１７８】
例えば処方せん発行履歴情報テーブル１５２から、特定された患者の患者番号が含まれる処方せん発行履歴情報が抽出され、薬剤処方履歴情報テーブル１５３から、抽出された処方せん発行履歴情報と同じ処方せん番号の薬剤処方履歴情報が抽出されて、データサーバ９１に送信される。より具体的には、図５の処方せん発行履歴情報からは「ジェネリック変更の可否」が抽出され、図６の薬剤処方履歴情報からは「処方薬ＩＤ」、「処方分日数」、「使用頻度」、および「１回当たり数量」が抽出されて、データサーバ９１に送信される。
【０１７９】
データサーバ９１では、病院内装置３２から処方せん発行履歴情報等に含まれる各情報が受信されると、更新部１０３が図１３の処方せん履歴インデックステーブル２８１に新たな処方せん履歴インデックスを追加する。
【０１８０】
このとき、更新部１０３は、新たな処方せん履歴インデックスの「処方せんＩＤ」にまだ使用されていない固有のＩＤを格納するとともに、「処方せん情報書き込み日時」に現在時刻を格納し、他の欄に病院内装置３２から受信した各情報を格納する。例えば、処方せん履歴インデックスの「ジェネリック変更の可否」には、図５の処方せん発行履歴情報から抽出された「ジェネリック変更の可否」の情報が格納される。
【０１８１】
また、更新部１０３は、処方せん履歴インデックステーブル２８１と同様に、図１３の処方せん履歴情報テーブル２８２に新たな処方せん履歴情報を追加する。このとき、更新部１０３は、新たな処方せん履歴情報に「通し番号」を付与するとともに、「処方せんＩＤ」に、対応する処方せん履歴インデックスの処方せんＩＤを格納する。
【０１８２】
さらに、更新部１０３は、新たな処方せん履歴情報の「処方薬識別ＩＤ」、「処方分日数」、「使用頻度」、および「１回当たり数量」に、病院内装置３２から受信した薬剤処方履歴情報の「処方薬ＩＤ」、「処方分日数」、「使用頻度」、および「１回当たり数量」の情報を格納する。
【０１８３】
このようにして、病院内システム１１で記録された処方せんに関する情報が、データサーバ９１に供給されて、医師処方せん情報データベース２２２が更新される。これにより、各患者の処方せんに関する情報を共有することができる。
【０１８４】
［調剤の予約について］
また、患者は、病院において診察を終えると、病院内において処方せんによって処方された薬剤の調剤の予約をすることができる。以下、図１７のフローチャートを参照して、そのような場合に病院内装置３２、およびデータサーバ９１において行なわれる調剤予約処理および調剤予約書き込み処理について説明する。
【０１８５】
例えば、病院内装置３２により行なわれる調剤予約処理が開始される時点において、病院内装置３２には、調剤予約にあたり「ＩＣカードをかざして下さい」など、患者にＩＣカード１４を識別情報リーダ３１にかざすことを促すメッセージが表示されている。患者は、このメッセージを見て、所持しているＩＣカード１４を識別情報リーダ３１にかざす。
【０１８６】
ステップＳ１１において、病院内装置３２の調剤予約部４３は、ＩＣカード１４が識別情報リーダ３１にかざされて、識別情報が読み出されたか否かを判定する。例えば、識別情報リーダ３１から調剤予約部４３に、ＩＣカード１４から読み出された識別情報が供給された場合、識別情報が読み出されたと判定される。
【０１８７】
ステップＳ１１において、識別情報が読み出されていないと判定された場合、処理はステップＳ１１に戻り、上述した処理が繰り返される。
【０１８８】
これに対して、ステップＳ１１において、識別情報が読み出されたと判定された場合、ステップＳ１２において、通信部４５は、読み出された識別情報をデータサーバ９１に送信し、患者基本情報テーブルの送信を要求する。
【０１８９】
すると、データサーバ９１はステップＳ３１において、患者基本情報テーブルを検索する。すなわち、通信部１０２が病院内装置３２から送信されてきた識別情報を受信すると、データサーバ９１は病院内装置３２の要求に応じて、識別情報と患者の対応データベース２１１を参照し、識別情報に対応付けられている患者毎データベース名を特定する。そして、データサーバ９１は、特定された名前の患者毎データベース２１２を構成する患者基本情報データベース２２１から、患者基本情報テーブル２５１を抽出する。
【０１９０】
ステップＳ３２において、データサーバ９１の通信部１０２は、抽出された患者基本情報テーブルを病院内装置３２に送信する。
【０１９１】
ステップＳ１３において、病院内装置３２の通信部４５は、データサーバ９１から送信されてきた患者基本情報テーブルを受信し、調剤予約部４３は、患者基本情報テーブルに基づいて、表示部４６に患者の氏名を表示させる。
【０１９２】
例えば、調剤予約部４３は、病院内データベース４７の患者基本情報テーブル１５１から、患者基本情報テーブルに含まれている保険者番号と同じ保険者番号が含まれている患者基本情報を特定する。そして、調剤予約部４３は、特定された患者基本情報に含まれる患者の氏名を表示部４６に表示させる。
【０１９３】
これにより病院内装置３２には、例えば「田中太郎さんですか？」など、患者の名前を問うメッセージが表示される。これを見た患者は、病院内装置３２を操作し、自分の氏名が正しく表示されたか否かを入力する。
【０１９４】
ステップＳ１４において、調剤予約部４３は、患者の入力操作に基づいて、患者の氏名が正しく表示されたか否かを判定する。ステップＳ１４において、正しく表示されていないと判定された場合、処理はステップＳ１１に戻り、上述した処理が繰り返される。この場合、病院内装置３２は、「窓口までお越しください」などのメッセージを表示する。
【０１９５】
これに対して、ステップＳ１４において、氏名が正しく表示されたと判定された場合、処理はステップＳ１５に進む。ステップＳ１５において、通信部４５は、患者のＩＣカード１４から読み出された識別情報をデータサーバ９１に送信して、医師処方せん情報データベースおよび薬剤師調剤情報データベースの送信を要求する。
【０１９６】
すると、データサーバ９１はステップＳ３３において、医師処方せん情報データベースおよび薬剤師調剤情報データベースを検索する。
【０１９７】
すなわち、データサーバ９１は、病院内装置３２から送信されてきた識別情報を受信すると、病院内装置３２の要求に応じて、識別情報と患者の対応データベース２１１を参照し、受信した識別情報に対応付けられている患者毎データベース名を特定する。そして、データサーバ９１は、特定された名前の患者毎データベース２１２から、医師処方せん情報データベース２２２および薬剤師調剤情報データベース２２３を抽出する。
【０１９８】
ステップＳ３４において、データサーバ９１の通信部１０２は、抽出された医師処方せん情報データベースおよび薬剤師調剤情報データベースを病院内装置３２に送信する。
【０１９９】
ステップＳ１６において、通信部４５は、データサーバ９１から送信されてきた医師処方せん情報データベースおよび薬剤師調剤情報データベースを受信する。
【０２００】
ステップＳ１７において、調剤予約部４３は、期限内の未調剤の処方せんがあるか否かを判定する。
【０２０１】
例えば、一般的に処方せんの有効期限は、発効日から４日間となっている。そこで、調剤予約部４３は、受信した医師処方せん情報データベース２２２を構成する処方せん履歴インデックステーブル２８１から、以下の条件を満たす処方せん履歴インデックスを検索する。すなわち、調剤予約部４３は、「処方せん情報書き込み日時」が現在日時から４日以内であり、かつ「薬局調剤状態」が未調剤となっている処方せん履歴インデックスを検索する。
【０２０２】
このようにして検索された処方せん履歴インデックスの処方せんＩＤにより特定される処方せんは、有効期限内であり、かつ処方薬が未調剤である処方せんであるので、そのような処方せんがある場合には、期限内の未調剤の処方せんがあると判定される。
【０２０３】
ステップＳ１７において、期限内の未調剤の処方せんがないと判定された場合、処理はステップＳ１１に戻り、上述した処理が繰り返される。このとき、例えば病院内装置３２は、「処方せんがありません」など、調剤予約を行なう必要のある処方せんがない旨のメッセージを表示する。
【０２０４】
一方、ステップＳ１７において、期限内の未調剤の処方せんがあると判定された場合、ステップＳ１８において、調剤予約部４３は、過去の調剤履歴があるか否かを判定する。具体的には、データサーバ９１から受信した薬剤師調剤情報データベース２２３の調剤履歴インデックステーブル３０１に、１つでも調剤履歴インデックスが含まれている場合、過去の調剤履歴があると判定される。
【０２０５】
ステップＳ１８において、過去の調剤履歴がないと判定された場合、処理はステップＳ１１に戻り、上述した処理が繰り返される。このとき、例えば病院内装置３２は、「薬局データがありません」など、過去に調剤を依頼した薬局の履歴がない旨のメッセージを表示する。
【０２０６】
これに対して、ステップＳ１８において、過去の調剤履歴があると判定された場合、ステップＳ１９において、調剤予約部４３は、表示部４６に薬局名の一覧を表示させる。
【０２０７】
すなわち、調剤予約部４３は、受信した薬剤師調剤情報データベース２２３を構成する調剤履歴インデックステーブル３０１に含まれる各調剤履歴インデックスを参照し、調剤履歴インデックスの「薬局名」を抽出する。そして、調剤予約部４３は、抽出した薬局名の一覧を生成して、病院内装置３２に表示させる。このようにして表示された薬局名の一覧は、患者が過去に調剤を依頼した薬局の名前の一覧である。
【０２０８】
ステップＳ２０において、調剤予約部４３は、今回処方薬の調剤を依頼する薬局の選択を受け付ける。薬局名の一覧が表示されると、患者は病院内装置３２を操作して、表示された一覧のなかから、今回処方薬の調剤を依頼する薬局を指定する。
【０２０９】
なお、調剤を依頼する薬局は、過去に調剤を依頼した薬局に限らず、病院や患者宅の近くにある薬局、文字列検索等で得られた薬局とされてもよい。そのような場合には、それらの薬局の一覧等が表示され、患者により指定された薬局に調剤が依頼される。
【０２１０】
ステップＳ２１において、調剤予約部４３は、調剤の予約を要求する調剤予約要求を送信するか否かを判定する。例えば、患者により、薬局名の一覧のなかから、調剤を依頼する薬局名が選択された場合、調剤予約要求を送信すると判定される。また、例えば一定時間経過しても、薬局名が選択されなかった場合、調剤予約要求を送信しないと判定される。
【０２１１】
ステップＳ２１において、調剤予約要求を送信しないと判定された場合、処理はステップＳ１１に戻り、上述した処理が繰り返される。
【０２１２】
これに対して、ステップＳ２１において、調剤予約要求を送信すると判定された場合、ステップＳ２２において、調剤予約部４３は、調剤予約要求を生成する。
【０２１３】
具体的には調剤予約部４３は、患者のＩＣカード１４から読み出された識別情報、処理対象となっている処方せんを特定する処方せんＩＤ、および患者により選択された薬局を特定する送信先薬局ＩＤが含まれる調剤予約要求を生成する。
【０２１４】
ここで、調剤予約要求に含まれる処方せんＩＤは、ステップＳ１７において検索された、期限内の未調剤の処方せんの処方せん履歴インデックスに含まれている処方せんＩＤである。また、病院内装置３２では、各薬局の名前から、その薬局を特定する送信先薬局ＩＤを得ることができるようになされているものとする。
【０２１５】
なお、調剤予約要求には、その他、患者がジェネリックを希望するか否かを示す情報、および患者が希望する薬剤形状（薬剤の形態）を示す情報が含まれるようにしてもよい。
【０２１６】
調剤予約要求に、ジェネリックを希望するか否かを示す情報や、薬剤形状を示す情報が含まれるようにすれば、この調剤予約要求に基づいて調剤の依頼を受けた薬局の薬剤師は、患者の薬剤に関する希望を知ることができ、直ちに調剤を始めることができる。
【０２１７】
例えば、調剤の予約がされた薬剤を特定するＩＤ（例えば、薬剤の一般名称を特定するＩＤ）だけでは、患者がジェネリックを希望しているかや、患者が液体の薬剤を希望しているなど、薬局側は患者の薬剤に関する詳細な希望を知ることはできない。そのため、薬局が、薬剤を特定するＩＤだけ知らされた状態で事前に調剤を行うと、患者に薬剤を引き渡す段階になって、その薬剤が患者の希望する薬剤ではなかったと判明する事態も起こり得る。
【０２１８】
これに対して、調剤予約要求に、ジェネリックを希望するかなど、薬剤に関する患者の詳細な希望を示す情報が含まれるようにしておけば、薬局側において、患者の希望する薬剤を予め用意しておくことができるようになり、患者の利便性を向上させることができる。
【０２１９】
ステップＳ２３において、通信部４５は、生成された調剤予約要求をデータサーバ９１に送信し、調剤予約処理は終了する。また、表示部４６は調剤予約要求が送信されると、「調剤予約が完了しました」など、調剤予約がされた旨のメッセージを表示する。
【０２２０】
データサーバ９１に調剤予約要求が送信されると、ステップＳ３５において、データサーバ９１の通信部１０２は、病院内装置３２から送信されてきた調剤予約要求を受信する。
【０２２１】
そして、ステップＳ３６において、データサーバ９１の更新部１０３は、受信した調剤予約要求に応じて、調剤予約情報を調剤予約情報テーブル２１４に書き込む。
【０２２２】
具体的には、更新部１０３は、図１６の調剤予約情報テーブル２１４に新たな調剤予約情報の欄を設け、その調剤予約情報の「通し番号」に、既に他の調剤予約情報に割り当てられた通し番号の最大値よりも１だけ大きい数値を格納する。また、更新部１０３は、新たな調剤予約情報の「調剤予約日時」に現在日時を格納するとともに、調剤予約情報の「患者データベース名」に、調剤予約要求に含まれる識別情報から特定される患者毎データベース名を格納する。
【０２２３】
さらに、更新部１０３は、調剤予約情報の「処方せんＩＤ」および「送信先薬局ＩＤ」に、調剤予約要求に含まれている処方せんＩＤおよび送信先薬局ＩＤを格納する。なお、調剤予約情報の「薬局受理フラグ」は、何も格納されていない状態とされ、調剤予約要求に、ジェネリックを希望するか否かを示す情報、および希望する薬剤形状を示す情報が含まれている場合には、それらの情報が調剤予約情報に付加される。
【０２２４】
なお、医師等が病院内装置３２を操作して入力された、ジェネリックを希望するか否かを示す情報、および希望する薬剤形状を示す情報が調剤予約要求含まれていてもよいと説明したが、これらの情報がデータサーバ９１により生成されてもよい。そのような場合、データサーバ９１は、例えば患者基本情報テーブル２５１を参照することにより、ジェネリックを希望するか否かを示す情報、および希望する薬剤形状を示す情報を生成し、それらの情報が含まれる調剤予約情報を生成する。
【０２２５】
ステップＳ３７において、更新部１０３は、図１３の処方せん履歴インデックステーブル２８１における、調剤予約を行なった患者の処方せんの処方せん履歴インデックスに含まれる「薬局調剤状態」を調剤予約済として、調剤予約書き込み処理は終了する。
【０２２６】
すなわち、更新部１０３は、図１１の識別情報と患者の対応データベース２１１を参照して、調剤予約要求に含まれる識別情報に対応付けられた患者毎データベース名を特定する。そして、更新部１０３は、特定された名前の患者毎データベース２１２の処方せん履歴インデックステーブル２８１を更新する。
【０２２７】
具体的には、更新部１０３は、図１３の処方せん履歴インデックステーブル２８１に含まれる処方せん履歴インデックスのうち、調剤予約要求に含まれる処方せんＩＤが含まれている処方せん履歴インデックスを検索する。更新部１０３は、検索により得られた処方せん履歴インデックスの「薬局調剤状態」を未調剤から調剤予約済に変更する。
【０２２８】
なお、調剤予約書き込み処理では各処理が、適宜、必要な回数だけ実行される。例えば、ステップＳ３２の処理の後、ステップＳ１４で氏名が正しく表示されていないと判定された場合には、再びステップＳ３１およびステップＳ３２の処理が実行される。
【０２２９】
以上のようにして病院内装置３２は、データサーバ９１に処方せんに関する情報が記録されている状態で、患者の識別情報をキーとして、データサーバ９１から患者に関する情報を取得し、データサーバ９１に調剤予約要求を送信する。また、データサーバ９１は、調剤予約要求を受信すると、調剤予約要求に基づいて調剤予約情報テーブルを更新し、調剤の予約を行なう。
【０２３０】
図１の情報処理システムによれば、病院内装置３２からデータサーバ９１に調剤予約要求を送信して、データサーバ９１で調剤予約情報テーブルを更新するようにすることで、患者は病院で診察を終えた後、直ちに薬局に対する調剤の予約を行なうことができる。このように、事前にデータサーバ９１に処方せんに関する情報を記録しておき、患者が薬局に行く前に調剤予約を行なうことができるようにすれば、薬局における患者の待ち時間を削減することができ、利便性を向上させることができる。
【０２３１】
［調剤の受付について］
データサーバ９１において、調剤予約情報テーブル２１４に新たな調剤予約情報が付加されると、患者により調剤の予約がされたことになる。薬局側では、調剤の予約がされると、薬局内装置６２が調剤の予約を受け付けて、薬剤師による調剤が行なわれる。以下、図１８および図１９のフローチャートを参照して、調剤の予約を受け付けるときに薬局内装置６２およびデータサーバ９１により行なわれる処理について説明する。
【０２３２】
まず図１８のフローチャートを参照して、薬局内装置６２により行なわれる調剤受付処理について説明する。
【０２３３】
ステップＳ６１において、薬局内装置６２の調剤予約部７４は、データサーバ９１から調剤予約情報を取得する。
【０２３４】
例えば、調剤予約部７４がデータサーバ９１に調剤予約情報の送信を要求すると、データサーバ９１は、図１６の調剤予約情報テーブル２１４に含まれている調剤予約情報のうち、「薬局受理フラグ」が設定されておらず、かつ要求元の薬局ＩＤと送信先薬局ＩＤが一致する調剤予約情報を薬局内装置６２に送信してくる。
【０２３５】
つまり、「薬局受理フラグ」が受理、不受理の何れでもない状態であり、かつ薬局内装置６２が設置されている薬局を示す送信先薬局ＩＤが含まれている調剤予約情報が送信される。調剤予約部７４は、このようにしてデータサーバ９１から送信されてきた調剤予約情報を、通信部７５に受信させることで、調剤予約情報を取得する。
【０２３６】
なお、調剤予約情報は、薬局内装置６２が定期的にデータサーバ９１にアクセスすることで取得されるようにしてもよいし、データサーバ９１が調剤予約情報テーブル２１４を更新するたびに、データサーバ９１から薬局内装置６２に送信されるようにしてもよい。
【０２３７】
ステップＳ６２において、調剤予約部７４は、取得した調剤予約情報の有無に基づいて、患者からの調剤予約があったか否かを判定する。
【０２３８】
ステップＳ６２において、調剤予約がなかったと判定された場合、処理はステップＳ６１に戻り、上述した処理が繰り返される。
【０２３９】
これに対して、ステップＳ６２において、調剤予約があったと判定された場合、調剤予約部７４は、「調剤予約が入りました」など、調剤予約があった旨のメッセージを表示部７６に表示させて、処理はステップＳ６３に進む。なお、調剤予約があった旨のメッセージは、薬局内レセプトコンピュータ６３に表示されるようにしてもよい。
【０２４０】
ステップＳ６３において、電子処方せん取込部７２は、電子処方せんの取り込みを行なう。すなわち、電子処方せん取込部７２は、薬局内装置６２が設置されている薬局を示す送信先薬局ＩＤが含まれている調剤予約情報から、処方せんＩＤを抽出する。
【０２４１】
そして、電子処方せん取込部７２は、通信部７５を制御して、抽出した処方せんＩＤが含まれる、処方せん履歴インデックスおよび処方せん履歴情報の送信を要求する電子処方せん取込要求をデータサーバ９１に送信させる。
【０２４２】
すると、データサーバ９１からは、電子処方せん取込要求に応じて、処方せん履歴インデックスおよび処方せん履歴情報が送信されてくる。電子処方せん取込部７２は、データサーバ９１から送信されてきた、処方せん履歴インデックスおよび処方せん履歴情報を通信部７５に受信させる。
【０２４３】
ここで、データサーバ９１から送信されてくる処方せん履歴インデックスおよび処方せん履歴情報は、図１３の医師処方せん情報データベース２２２から抽出された、電子処方せん取込要求に含まれる処方せんＩＤが含まれている、処方せん履歴インデックスおよび処方せん履歴情報である。
【０２４４】
ステップＳ６４において、調剤予約部７４は、取得された処方せん履歴情報に含まれている「処方薬識別ＩＤ」、「処方分日数」、「使用頻度」、および「１回当たり数量」と、薬剤在庫情報テーブル１８３とに基づいて、調剤予約された薬剤の在庫があるか否かを判定する。
【０２４５】
例えば、調剤予約部７４は、処方せん履歴情報の「処方分日数」、「使用頻度」、および「１回当たり数量」から、調剤すべき薬剤の数量を求める。また、調剤予約部７４は、薬局内レセプトコンピュータ６３の薬局内データベース７７を構成する図９の薬剤在庫情報テーブル１８３から、処方せん履歴情報の「処方薬識別ＩＤ」と同じＩＤが含まれている薬剤在庫情報を特定する。
【０２４６】
そして、調剤予約部７４は、特定された薬剤在庫情報の「在庫量」の数量が、求めた調剤すべき薬剤の数量よりも多い場合、薬剤の在庫があると判定する。なお、１つの処方せんで複数の薬剤が処方されている場合、１つでも薬剤の在庫が不足しているときには、薬剤の在庫がないと判定される。
【０２４７】
ここで、調剤予約情報に、ジェネリックを希望するか否かを示す情報、および希望する薬剤形状を示す情報が付加されている場合には、それらの情報が用いられて薬剤の在庫があるか否かが判定される。例えば調剤予約情報に、ジェネリックを希望する旨の情報が付加されている場合、調剤予約された薬剤のジェネリックの在庫があるか否かが判定される。また、例えば調剤予約情報に、希望する薬剤形状を示す情報が付加されている場合、その情報に示される薬剤形状の薬剤がない場合には、薬剤の在庫がないと判定される。
【０２４８】
なお、必要に応じて近隣の薬局から薬剤を融通できる場合には、その近隣の薬局の在庫状況も考慮されて、薬剤の在庫があるか否かが判定されるようにしてもよい。また、データサーバ９１により薬剤の在庫があるか否かが判定されるようにしてもよい。
【０２４９】
ステップＳ６４において、薬剤の在庫があると判定された場合、ステップＳ６５において、調剤予約部７４は、調剤予約情報テーブル２１４における、調剤を行なう薬剤の調剤予約情報の「薬局受理フラグ」を受理とする。
【０２５０】
すなわち、調剤予約部７４は、通信部７５を制御して、調剤を行なう薬剤の調剤予約情報の処方せんＩＤが含まれ、「薬局受理フラグ」を受理とする薬局受理フラグ変更要求をデータサーバ９１に送信させる。データサーバ９１は、薬局受理フラグ変更要求を受信すると、図１６の調剤予約情報テーブル２１４から、薬局受理フラグ変更要求に含まれる処方せんＩＤが含まれる調剤予約情報を特定し、特定した調剤予約情報の「薬局受理フラグ」を受理とする。
【０２５１】
ステップＳ６６において、調剤予約部７４は、処方せん履歴インデックステーブル２８１における、調剤を行なう薬剤の処方せんについての処方せん履歴インデックスの「薬局調剤状態」を調剤済とする。
【０２５２】
すなわち、調剤予約部７４は通信部７５を制御して、調剤を行なう薬剤の調剤予約情報の処方せんＩＤが含まれ、「薬局調剤状態」を調剤済とする薬局調剤状態変更要求をデータサーバ９１に送信させる。データサーバ９１は、薬局調剤状態変更要求を受信すると、図１３の処方せん履歴インデックステーブル２８１から、薬局調剤状態変更要求に含まれる処方せんＩＤが含まれる処方せん履歴インデックスを特定し、特定した処方せん履歴インデックスの「薬局調剤状態」を調剤済とする。
【０２５３】
このようにして、薬局受理フラグおよび薬局調剤状態が更新され、薬剤の調剤が受け付けられると、例えば表示部７６は、調剤予約情報の処方せんＩＤ、処方薬識別ＩＤにより特定される調剤すべき薬剤の名称、処方分日数、使用頻度、１回当たり数量など必要な情報を表示する。この表示を見た薬剤師は、実際に薬剤の調剤を開始することができる。
【０２５４】
また、薬剤師は処方薬の調剤を終えると、薬局内装置６２を操作して、調剤した薬剤に関する情報を入力する。すると、ステップＳ６７において、薬局内装置６２の電子お薬手帳書込部７３は、薬剤師の入力操作に応じて、データサーバ９１に対して電子お薬手帳の書込み要求を行なう。
【０２５５】
例えば電子お薬手帳書込部７３は、薬剤師により適宜入力された薬局名、薬剤師名、および薬局連絡先と、調剤した薬剤の調剤薬識別ＩＤ、調剤分日数、使用頻度、および１回当たり数量とを含む電子お薬手帳の書込み要求を生成する。そして、電子お薬手帳書込部７３は、通信部７５を制御して、電子お薬手帳の書込み要求をデータサーバ９１に送信させる。
【０２５６】
ここで、電子お薬手帳の書込み要求に含まれる調剤薬識別ＩＤ、調剤分日数、使用頻度、および１回当たり数量は、例えばステップＳ６３で取り込まれた処方せん履歴情報の「処方薬識別ＩＤ」、「処方分日数」、「使用頻度」、および「１回当たり数量」などから定められる。
【０２５７】
データサーバ９１は、電子お薬手帳の書込み要求を受信すると、電子お薬手帳の書込み要求に基づいて、図１４の薬剤師調剤情報データベース２２３を更新する。すなわち、更新部１０３は、図１４の調剤履歴インデックステーブル３０１に、新たな調剤履歴インデックスを付加し、その調剤履歴インデックスの「調剤履歴ＩＤ」に、他の調剤履歴インデックスに対してまだ付与されていないＩＤを格納する。
【０２５８】
そして更新部１０３は、調剤履歴インデックスの「調剤情報書き込み日時」に現在日時を格納し、調剤履歴インデックスの「薬局名」、「薬剤師名」、および「薬局連絡先」に、電子お薬手帳の書込み要求に含まれる薬局名、薬剤師名、および薬局連絡先を格納する。
【０２５９】
また、更新部１０３は、図１４の調剤履歴情報テーブル３０２に、新たな調剤履歴情報を付加し、その調剤履歴情報の「通し番号」および「調剤履歴ＩＤ」に、新たな通し番号、および新たな調剤履歴インデックスの「調剤履歴ＩＤ」と同じＩＤを格納する。さらに、更新部１０３は、新たな調剤履歴情報の「調剤薬識別ＩＤ」、「調剤分日数」、「使用頻度」、および「１回当たり数量」に、電子お薬手帳の書込み要求に含まれる調剤薬識別ＩＤ、調剤分日数、使用頻度、および１回当たり数量を格納する。
【０２６０】
さらに薬剤の調剤が行なわれると、薬局内レセプトコンピュータ６３は、薬局内装置６２の指示に応じて、薬剤在庫情報テーブル１８３の更新を行なう。すなわち、調剤された分だけ、薬剤在庫情報の「在庫量」の数量が減じられる。
【０２６１】
また、薬剤の調剤後、薬局内装置６２は、薬局内レセプトコンピュータ６３に薬剤調剤履歴情報テーブル１８２の更新を指示する。
【０２６２】
具体的には、薬局内装置６２は、調剤した薬剤の処方せんを特定する処方せんＩＤを含む患者基本情報テーブル送信要求を、データサーバ９１に送信して、データサーバ９１から図１２の患者基本情報テーブル２５１を取得する。ここで、データサーバ９１では、受信した処方せんＩＤが含まれる処方せん履歴インデックステーブル２８１が検索されることで、患者毎データベース２１２が特定され、その患者毎データベース２１２を構成する患者基本情報テーブル２５１が送信される。
【０２６３】
薬局内装置６２は、データサーバ９１から患者基本情報テーブル２５１を受信すると、患者基本情報テーブル２５１から患者の保険者番号を抽出する。そして、薬局内装置６２は、調剤した薬剤の調剤薬識別ＩＤ、調剤分日数、使用頻度、および１回当たり数量と、抽出した患者の保険者番号とを薬局内レセプトコンピュータ６３に供給し、薬剤調剤履歴情報テーブル１８２の更新を指示する。
【０２６４】
すると、薬局内レセプトコンピュータ６３は、薬局内装置６２の指示に応じて、薬局内データベース７７の薬剤調剤履歴情報テーブル１８２に、新たな薬剤調剤履歴情報を付加し、薬剤調剤履歴情報テーブル１８２を更新する。
【０２６５】
具体的には、薬局内レセプトコンピュータ６３は、薬剤調剤履歴情報の「通し番号」に新たな通し番号を格納し、「調剤日時」に現在時刻を格納する。また、薬局内レセプトコンピュータ６３は、患者基本情報テーブル１８１を参照して、薬局内装置６２から供給された保険者番号から、患者の患者番号を特定するとともに、特定した患者番号を薬剤調剤履歴情報の「患者番号」に格納する。
【０２６６】
さらに、薬局内レセプトコンピュータ６３は、薬局内装置６２から供給された調剤薬識別ＩＤ、調剤分日数、使用頻度、および１回当たり数量を、薬剤調剤履歴情報の「調剤薬ＩＤ」、「処方分日数」、「使用頻度」、および「１回当たり数量」として格納する。そして薬局内レセプトコンピュータ６３は、調剤された薬剤の調剤薬識別ＩＤから特定される薬剤名とその種別を、薬剤調剤履歴情報の「調剤薬名」および「種別」に格納する。
【０２６７】
このようにして新たに調剤した薬剤に関する情報が薬局内データベース７７に記録されると、薬局内レセプトコンピュータ６３は、薬剤調剤履歴情報に基づいて、レセプト用の申請書を出力したり、オンラインでレセプトの請求を行なったりすることが可能となる。
【０２６８】
なお、電子お薬手帳の書き込み、薬剤在庫情報テーブル１８３の更新、および薬剤調剤履歴情報テーブル１８２の更新は、薬局内装置６２が薬局内レセプトコンピュータ６３にそれらの処理の指示をする形態でなくてもよい。例えば、薬局内装置６２により薬局内レセプトコンピュータ６３に対して入力支援が行なわれ、薬剤師等が薬局内レセプトコンピュータ６３を操作することで、電子お薬手帳の書き込み等の処理が行われてもよい。
【０２６９】
以上のようにして、薬剤師調剤情報データベース２２３等が更新されると、その後、処理はステップＳ６１に戻り、上述した処理が繰り返される。
【０２７０】
また、ステップＳ６４において、薬剤の在庫がないと判定された場合、ステップＳ６８において、調剤予約部７４は確認処理を行う。
【０２７１】
例えば、調剤予約部７４は、通信部７５を制御して、ステップＳ６１で取得された調剤予約情報の処方せんＩＤを含む患者基本情報テーブル送信要求を、データサーバ９１に送信し、データサーバ９１から図１２の患者基本情報テーブル２５１を取得する。
【０２７２】
すなわち、データサーバ９１は、薬局内装置６２から受信した患者基本情報テーブル送信要求に含まれる処方せんＩＤに基づいて、その処方せんＩＤを含む処方せん履歴インデックスが記録されている患者毎データベース２１２を特定する。そして、データサーバ９１は、特定された患者毎データベース２１２を構成する患者基本情報テーブル２５１を、薬局内装置６２に送信する。
【０２７３】
調剤予約部７４は、データサーバ９１から患者基本情報テーブル２５１が受信されると、薬局内データベース７７の患者基本情報テーブル１８１を参照して、薬剤の調剤を予約した患者の氏名や連絡先を特定し、表示部７６に表示させる。例えば、患者の特定は、患者基本情報テーブル２５１に含まれる保険者番号が含まれている患者基本情報を、患者基本情報テーブル１８１から検索することにより行なわれる。
【０２７４】
薬局内装置６２に患者の氏名や連絡先が表示されると、薬剤師は、表示された連絡先である電話番号やメールアドレスを用いて患者に連絡を取り、患者の希望に対応できるか否かの確認を取る。例えば、薬剤師は、直接患者に電話して、「薬剤Ａだけは後日になってしまうが、それでよいか」、「薬剤Ｂのジェネリックの在庫がないので、薬剤Ｂは先発薬になってしまうがよいか」、「粉末希望であるが錠剤でよいか」などを確認する。
【０２７５】
そして、薬剤師は患者の了承が得られると、薬局内装置６２を操作して、その確認結果を入力する。すなわち、患者の了承が得られたか否かが入力される。このとき、薬剤師は薬局内装置６２を操作して、薬剤形状として粉末を希望していたが錠剤でもよい旨等を、必要に応じて入力する。
【０２７６】
なお、薬局内装置６２が、データサーバ９１を介して病院内装置３２に問い合わせを行なったり、患者の携帯型端末装置１５に問い合わせを行なったりすることにより、患者の希望に対応できるか否かを確認するようにしてもよい。
【０２７７】
ステップＳ６９において、調剤予約部７４は、薬剤師の薬局内装置６２に対する入力操作に基づいて、患者の了承が得られたか否かを判定する。
【０２７８】
ステップＳ６９において、了承が得られたと判定された場合、処理はステップＳ６５に進み、上述したステップＳ６５乃至ステップＳ６７の処理が行われる。このとき、必要に応じてステップＳ６８で入力された情報が用いられる。例えば、薬剤形状として、粉末希望であったが錠剤でもよいと患者から了承が得られ、その旨の情報が入力された場合、調剤予約された薬剤であって、薬剤形状が錠剤である薬剤が調剤される。そして、その薬剤の調剤薬識別ＩＤが含まれる電子お薬手帳の書込み要求が、データサーバ９１に送信される。
【０２７９】
一方、ステップＳ６９において、了承が得られなかったと判定された場合、ステップＳ７０において、調剤予約部７４は、調剤予約情報テーブル２１４における、調剤予約がされた薬剤の調剤予約情報の「薬局受理フラグ」を不受理とする。
【０２８０】
すなわち、調剤予約部７４は、通信部７５を制御して、調剤予約がされた薬剤の調剤予約情報の処方せんＩＤが含まれ、「薬局受理フラグ」を不受理とする薬局受理フラグ変更要求をデータサーバ９１に送信する。
【０２８１】
通信部１０２が、薬局受理フラグ変更要求を受信すると、更新部１０３は、図１６の調剤予約情報テーブル２１４から、薬局受理フラグ変更要求に含まれる処方せんＩＤが含まれる調剤予約情報を特定し、特定した調剤予約情報の「薬局受理フラグ」を不受理とする。
【０２８２】
ステップＳ７１において、調剤予約部７４は、処方せん履歴インデックステーブル２８１における、調剤予約がされた薬剤の処方せんについての処方せん履歴インデックスの「薬局調剤状態」を未調剤とする。
【０２８３】
すなわち、調剤予約部７４は、通信部７５を制御して、調剤予約がされた薬剤の調剤予約情報の処方せんＩＤが含まれ、「薬局調剤状態」を未調剤とする薬局調剤状態変更要求をデータサーバ９１に送信する。データサーバ９１は、薬局調剤状態変更要求を受信すると、図１３の処方せん履歴インデックステーブル２８１から、薬局調剤状態変更要求に含まれる処方せんＩＤが含まれる処方せん履歴インデックスを特定し、特定した処方せん履歴インデックスの「薬局調剤状態」を未調剤とする。
【０２８４】
このようにして、調剤予約情報テーブル２１４および処方せん履歴インデックステーブル２８１が更新されると、その後、処理はステップＳ６１に戻り、上述した処理が繰り返される。
【０２８５】
なお、調剤予約情報テーブル２１４の調剤予約情報の「薬局受理フラグ」が「不受理」とされた場合には、調剤の予約が受理されなかった旨が、データサーバ９１から病院内装置３２や、患者の携帯型端末装置１５などに通知されるようにしてもよい。
【０２８６】
以上のようにして、薬局内装置６２は、定期的に調剤予約があったかを判定し、調剤予約があった場合には、薬剤の在庫を確認して、調剤の予約を受け付ける。
【０２８７】
このように、薬局内装置６２がデータサーバ９１に定期的にアクセスして、調剤の予約があったかを判定し、調剤の予約を受け付けることで、薬剤師は、患者が薬局に来る前に薬剤の調剤を開始することができる。これにより、患者の待ち時間も削減され、顧客満足度および顧客回転数の向上を見込むことができる。
【０２８８】
次に、図１９のフローチャートを参照して、薬局内装置６２により図１８の調剤受付処理が行われているときに、データサーバ９１により実行される調剤予約情報送信処理について説明する。
【０２８９】
ステップＳ１０１において、データサーバ９１は、薬局内装置６２から調剤予約情報の送信が要求されたか否かを判定する。ステップＳ１０１において、調剤予約情報の送信が要求されていないと判定された場合、処理はステップＳ１０１に戻り、上述した処理が繰り返される。
【０２９０】
これに対して、ステップＳ１０１において、調剤予約情報の送信が要求されたと判定された場合、ステップＳ１０２において、データサーバ９１の通信部１０２は、要求された調剤予約情報を薬局内装置６２に送信する。例えば、図１６の調剤予約情報テーブル２１４に含まれている調剤予約情報のうち、「薬局受理フラグ」が設定されておらず、要求元の薬局ＩＤと送信先薬局ＩＤが一致する調剤予約情報が、薬局内装置６２に送信される。
【０２９１】
ステップＳ１０３において、データサーバ９１は、薬局内装置６２から電子処方せんの取り込みの要求がされたか否かを判定する。例えば、薬局内装置６２から電子処方せん取込要求が送信されてきた場合、電子処方せんの取り込みの要求がされたと判定される。
【０２９２】
ステップＳ１０３において、電子処方せんの取り込みの要求がされなかったと判定された場合、処理はステップＳ１０１に戻り、上述した処理が繰り返される。
【０２９３】
これに対して、ステップＳ１０３において、電子処方せんの取り込みの要求がされたと判定された場合、通信部１０２は、送信されてきた電子処方せん取込要求を受信し、処理はステップＳ１０４に進む。
【０２９４】
ステップＳ１０４において、データサーバ９１は、図１３の医師処方せん情報データベース２２２から、電子処方せん取込要求に含まれる処方せんＩＤが含まれている、処方せん履歴インデックスおよび処方せん履歴情報を抽出する。そして、通信部１０２は、処方せん履歴インデックスおよび処方せん履歴情報を薬局内装置６２に送信する。
【０２９５】
ステップＳ１０５において、データサーバ９１は、薬局受理フラグの書き換えの要求があったか否かを判定する。例えば、薬局内装置６２から、薬局受理フラグ変更要求が送信されてきた場合、薬局受理フラグの書き換えの要求があったと判定される。
【０２９６】
ステップＳ１０５において、薬局受理フラグの書き換えの要求がなかったと判定された場合、処理はステップＳ１０１に戻り、上述した処理が繰り返される。
【０２９７】
一方、ステップＳ１０５において、薬局受理フラグの書き換えの要求があったと判定された場合、通信部１０２は、薬局内装置６２から送信されてきた薬局受理フラグ変更要求を受信し、処理はステップＳ１０６に進む。
【０２９８】
ステップＳ１０６において、更新部１０３は、薬局受理フラグ変更要求に応じて薬局受理フラグを書き換える。すなわち、更新部１０３は、図１６の調剤予約情報テーブル２１４から、薬局受理フラグ変更要求に含まれる処方せんＩＤが含まれる調剤予約情報を特定し、特定した調剤予約情報の「薬局受理フラグ」を設定する。
【０２９９】
具体的には、薬局受理フラグを受理とする旨の薬局受理フラグ変更要求が受信された場合、「薬局受理フラグ」が受理とされ、薬局受理フラグを不受理とする旨の薬局受理フラグ変更要求が受信された場合、「薬局受理フラグ」が不受理とされる。
【０３００】
ステップＳ１０７において、更新部１０３は、薬局調剤状態を書き換える。すなわち、「薬局受理フラグ」を受理または不受理に設定すると、薬局内装置６２からデータサーバ９１には、「薬局調剤状態」を調剤済とする旨の薬局調剤状態変更要求、または「薬局調剤状態」を未調剤とする旨の薬局調剤状態変更要求が送信されてくる。
【０３０１】
更新部１０３は、通信部１０２により、薬局内装置６２から送信されてきた薬局調剤状態変更要求が受信されると、図１３の処方せん履歴インデックステーブル２８１から、薬局調剤状態変更要求に含まれる処方せんＩＤが含まれる処方せん履歴インデックスを特定する。そして、更新部１０３は、薬局調剤状態変更要求に応じて、特定した処方せん履歴インデックスの「薬局調剤状態」を調剤済または未調剤とする。
【０３０２】
ステップＳ１０８において、データサーバ９１は、電子お薬手帳の書込要求があったか否かを判定する。例えば、薬局内装置６２からデータサーバ９１に、電子お薬手帳の書込み要求が送信されてきた場合、電子お薬手帳の書込要求があったと判定される。
【０３０３】
ステップＳ１０８において、電子お薬手帳の書込要求がなかったと判定された場合、処理はステップＳ１０１に戻り、上述した処理が繰り返される。
【０３０４】
これに対して、ステップＳ１０８において、電子お薬手帳の書込要求があったと判定された場合、通信部１０２は、薬局内装置６２からの電子お薬手帳の書込み要求を受信し、処理はステップＳ１０９に進む。
【０３０５】
ステップＳ１０９において、更新部１０３は、電子お薬手帳の書込み要求に応じて、電子お薬手帳の書き込みを行なう。すなわち、更新部１０３は、図１４の調剤履歴インデックステーブル３０１に、新たな調剤履歴インデックスを付加し、その調剤履歴インデックスに各情報を格納する。例えば、調剤履歴インデックスの「薬局名」、「薬剤師名」、および「薬局連絡先」には、電子お薬手帳の書込み要求に含まれる薬局名、薬剤師名、および薬局連絡先が格納される。また、更新部１０３は、電子お薬手帳の書込み要求に応じて、図１４の調剤履歴情報テーブル３０２の更新も行なう。
【０３０６】
電子お薬手帳の書き込みが行なわれると、その後、処理はステップＳ１０１に戻り、上述した処理が繰り返される。
【０３０７】
このようにして、データサーバ９１は、薬局内装置６２の要求に応じて、調剤予約情報を送信したり、薬局受理フラグや薬局調剤状態を書き換えたりする。このように、データサーバ９１が、病院内装置３２により書き込まれた情報等を、必要に応じて薬局内装置６２に供給することで、薬剤師が患者の来店前に調剤を開始することができるようになり、患者の利便性を向上させることができる。
【０３０８】
［薬局における電子お薬手帳の参照について］
また、患者は、薬局内システム１２が設けられた薬局に行き、その薬局で電子お薬手帳等を表示させることができる。
【０３０９】
そのような場合、患者は、所持しているＩＣカード１４を識別情報リーダ６１にかざす。すると、識別情報リーダ６１は、無線通信によりＩＣカード１４から識別情報を読み出して、薬局内装置６２に供給する。
【０３１０】
薬局内装置６２の電子お薬手帳参照部７１は、通信部７５を制御して、識別情報リーダ６１から供給された識別情報をデータサーバ９１に送信し、患者基本情報データベース２２１乃至薬剤師調剤情報データベース２２３に含まれる情報の送信を要求する。
【０３１１】
データサーバ９１は、薬局内装置６２から送信された識別情報を受信すると、薬局内装置６２から要求された情報を検索し、その結果得られた情報を薬局内装置６２に送信する。
【０３１２】
すなわち、データサーバ９１は、識別情報と患者の対応データベース２１１を参照して、受信した識別情報により特定される患者毎データベース名を検索する。そしてデータサーバ９１は、検索で得られた患者毎データベース名の患者毎データベース２１２から、患者基本情報データベース２２１乃至薬剤師調剤情報データベース２２３に含まれる情報を抽出し、薬局内装置６２に送信する。
【０３１３】
電子お薬手帳参照部７１は、通信部７５により、データサーバ９１から送信された患者基本情報データベース２２１乃至薬剤師調剤情報データベース２２３に含まれる情報が受信されると、それらの情報を適宜加工して、必要な情報を表示部７６に表示させる。これにより、患者や薬剤師は、患者自身に関する基本的な情報、これまでの診察の処方せんに関する情報、処方薬剤やその処方薬の調剤履歴に関する情報などを確認できる。
【０３１４】
なお、患者基本情報データベース２２１乃至薬剤師調剤情報データベース２２３に含まれる情報は、薬局内装置６２に限らず薬局内レセプトコンピュータ６３に表示されるようにしてもよい。
【０３１５】
また、薬局において、患者が事前に調剤を予約した薬剤を受け取る場合には、例えば薬剤師が、処方薬を調剤するときに、薬局内装置６２により取得された調剤予約情報の処方せんＩＤと、調剤した薬剤とを対応付けて保存しておけばよい。
【０３１６】
そうすれば、患者が薬局に来たときに、患者がＩＣカード１４を用いて電子お薬手帳を参照することで、薬局内装置６２に処方せんＩＤを表示させ、薬剤師は、表示された処方せんＩＤに対応付けられた薬剤を、患者に渡すことができる。この場合、必要に応じて患者が本人であるかの確認を行なえばよい。
【０３１７】
［再診の予約について］
ところで、図１の情報処理システムにおいては、患者が病院での診察を終えたときや、診察後の会計時に次回の来院（再診）の予約をすることができる。以下、そのような場合に行なわれる各装置の処理について説明する。
【０３１８】
まず、図２０のフローチャートを参照して、病院内装置３２およびデータサーバ９１により行なわれる再診予約要求処理、および再診予約情報記録処理について説明する。
【０３１９】
ステップＳ１３１において、再診予約部４４は、識別情報リーダ３１から患者の識別情報を取得する。すなわち、再診の予約を行なう場合、患者は所持しているＩＣカード１４を識別情報リーダ３１にかざす。すると、識別情報リーダ３１は、ＩＣカード１４から識別情報を読み出して、病院内装置３２に供給する。
【０３２０】
ステップＳ１３２において、再診予約部４４は、患者の再診に関する情報の入力を受け付ける。例えば、医師等は患者と相談して、次回の来院予定日等を決めた後、病院内装置３２を操作して、次回の来院予定日、医療機関名（病院名）、連絡事項、来院予約システムのＵＲＬ等を入力する。例えば、連絡事項は、「月が変わるので保険証を持ってきてください」や「尿検査のサンプルを忘れずにお持ちください」など、医師等の病院側から患者への連絡事項とされる。
【０３２１】
ステップＳ１３３において、再診予約部４４は、入力された情報に基づいて再診予約要求を生成する。この再診予約要求には、例えば、患者の識別情報と、医師等により入力された次回来院予定日、医療機関名、連絡事項、および来院予約システムＵＲＬとが含まれている。
【０３２２】
ステップＳ１３４において、通信部４５は、生成された再診予約要求をデータサーバ９１に送信し、再診予約要求処理は終了する。
【０３２３】
このようにして生成された再診予約要求が、病院内装置３２からデータサーバ９１に送信されてくると、データサーバ９１による再診予約情報記録処理が開始される。
【０３２４】
ステップＳ１４１において、データサーバ９１の通信部１０２は、病院内装置３２から送信されてきた再診予約要求を受信する。
【０３２５】
ステップＳ１４２において、更新部１０３は、受信した再診予約要求に基づいて、処方せん／調剤データベース１０１の再診予約情報データベース２２４に、新たな再診予約情報を記録する。
【０３２６】
具体的には、更新部１０３は、再診予約要求に含まれる識別情報を用いて、識別情報と患者の対応データベース２１１から、再診予約をする患者についての患者毎データベース名を特定する。そして、更新部１０３は、特定された名前の患者毎データベース２１２を構成する再診予約情報データベース２２４を更新する。
【０３２７】
例えば、更新部１０３は、図１５の再診予約情報データベース２２４に、新たな再診予約情報を付加し、その再診予約情報の「通し番号」に新たな番号を格納する。さらに、更新部１０３は、新たな再診予約情報の「次回来院予定日」、「医療機関名」、「連絡事項」、および「来院予約システムＵＲＬ」に、再診予約要求に含まれている次回来院予定日、医療機関名、連絡事項、および来院予約システムＵＲＬを格納する。
【０３２８】
このようにして再診予約情報データベース２２４が更新されると、再診予約情報記録処理は終了する。
【０３２９】
データサーバ９１の再診予約情報データベース２２４に再診予約情報が記録されると、再診予約情報データベース２２４を監視する情報通知用サーバ９２により、適切なタイミングで患者に対して再診の報知（通知）がなされる。例えば、再診の報知は、再診予定日、つまり次回来院予定日の数日前や当日などに、１回または複数回行なわれる。
【０３３０】
以下、図２１のフローチャートを参照して、このような場合に情報通知用サーバ９２により行なわれる再診通知処理について説明する。
【０３３１】
ステップＳ１７１において、情報通知用サーバ９２の監視部１０４は、データサーバ９１の患者毎データベース２１２に含まれる再診予約情報データベース２２４を参照し、再診の通知を行なうか否かを判定する。
【０３３２】
すなわち、監視部１０４は、データサーバ９１から再診予約情報データベース２２４を取得する。そして、例えば、再診日の前日に再診の通知がされる場合、監視部１０４は、再診予約情報データベース２２４に含まれる再診予約情報のなかに、「次回来院予定日」が明日である再診予約情報があるとき、再診の通知を行なうと判定する。
【０３３３】
このように、再診予約情報に含まれる「次回来院予定日」が、特定の条件を満たす場合、再診の通知を行なうと判定される。
【０３３４】
ステップＳ１７１において、再診の通知を行なわないと判定された場合、処理はステップＳ１７１に戻り、上述した処理が繰り返される。
【０３３５】
これに対して、ステップＳ１７１において、再診の通知を行なうと判定された場合、再診通知部１０６は、「次回来院予定日」が明日である再診予約情報を取得し、処理はステップＳ１７２に進む。
【０３３６】
ステップＳ１７２において、再診通知部１０６は、再診通知の対象となる患者の連絡先を取得する。具体的には、再診通知部１０６は、「次回来院予定日」が明日である再診予約情報が記録されている患者毎データベース２１２を参照し、その患者毎データベース２１２の患者基本情報テーブル２５１から、患者の電話番号またはメールアドレスを取得する。
【０３３７】
ステップＳ１７３において、再診通知部１０６は、取得した再診予約情報と、患者の連絡先とに基づいて、再診通知を生成する。
【０３３８】
例えば、再診通知が電子メールにより送信される場合、再診通知部１０６は、再診予約情報に含まれる「次回来院予定日」、「医療機関名」、「連絡事項」、および「来院予約システムＵＲＬ」が含まれ、取得された患者のメールアドレスを宛先とする電子メールを再診通知として生成する。
【０３３９】
また、例えば、再診通知が電話の音声メッセージとして送信される場合、再診通知部１０６は、再診予約情報に含まれる「次回来院予定日」、「医療機関名」、および「連絡事項」を患者に対してアナウンスする音声メッセージを再診通知として生成する。
【０３４０】
ステップＳ１７４において、通信部１０５は、生成した再診通知を送信して、処理はステップＳ１７１に戻り、上述した処理が繰り返される。
【０３４１】
例えば、再診通知が電子メールである場合、通信部１０５は、通信網１６を介して患者の携帯型端末装置１５に電子メールを送信する。また、再診通知が音声メッセージである場合、通信部１０５は、患者の連絡先として取得した患者の電話番号により特定される携帯型端末装置１５に、再診通知としての音声メッセージを送信（発信）する。
【０３４２】
このようにして、再診通知が患者の携帯型端末装置１５に送信されると、携帯型端末装置１５は再診通知受信処理を行って、送信されてきた再診通知を受信し、患者に対する報知を行なう。以下、図２２のフローチャートを参照して、携帯型端末装置１５により行なわれる再診通知受信処理について説明する。
【０３４３】
ステップＳ２０１において、通信部１２１は、通信網１６等を介して情報通知用サーバ９２から送信されてきた再診通知を受信し、制御部１２５に供給する。
【０３４４】
ステップＳ２０２において、制御部１２５は、供給された再診通知を表示部１２６に表示させるか、またはスピーカ１２３から出力させることで、再診を報知し、再診通知受信処理は終了する。
【０３４５】
例えば、再診通知が電子メールである場合、通信部１２１は情報通知用サーバ９２から送信されてきた電子メールを受信し、制御部１２５に供給する。すると制御部１２５は、供給された電子メールを表示部１２６に供給して表示させる。これにより、患者は、表示部１２６に表示された電子メールの内容を確認することで、明日が再診予定日であることを知ることができる。
【０３４６】
なお、患者は、携帯型端末装置１５を操作して、電子メールに表示されている来院予約システムＵＲＬ（Uniform Resource Locator）を選択することで、通信網１６を介して図示せぬ来院予約システムにアクセスし、再診予定日を変更することもできる。
【０３４７】
また、例えば再診通知が音声メッセージである場合、通信部１２１は情報通知用サーバ９２から送信されてきた音声メッセージを受信し、制御部１２５に供給する。制御部１２５は、スピーカ１２３に所定の音声データを供給して着信音を出力させ、患者により携帯型端末装置１５が操作されて通話が受け付けられると、制御部１２５は、スピーカ１２３に再診通知としての音声メッセージを供給し、出力させる。なお、このとき、患者が携帯型端末装置１５を操作すると、電話が外来予約等のセンターや来院予約システムに転送され、患者が再診予定日を変更できるようにしてもよい。
【０３４８】
以上のように、病院内装置３２は、再診予約要求をデータサーバ９１に送信して、これにより生成される再診予約情報を記録させ、情報通知用サーバ９２は、データサーバ９１の再診予約情報を監視する。そして、情報通知用サーバ９２は、再診を通知すべきタイミングとなると、再診予約情報に基づいて再診通知を生成し、携帯型端末装置１５に送信する。
【０３４９】
このように、適切なタイミングで再診通知を送信して、患者に再診日等を報知することにより、患者が適切な再診タイミングで治療を継続できる可能性を高めることができ、医療行為の有する治療効果を最大限に引き出すことができる。また、適切なタイミングで再診日が報知されれば、患者も再診日等を忘れてしまうことがなくなり、患者の利便性を向上させることができる。
【０３５０】
さらに、病院側においても、患者に再診日や連絡事項を確実に伝達でき、特に慢性疾患を抱える患者等の再診率を向上させることができる。
【０３５１】
情報処理システムでは、再診予約情報データベース２２４に基づいて、再診予約の通知を行なうようにしたので、処方せんが発行されていない患者に対しても再診予約の通知を行なうことができる。
【０３５２】
なお、情報通知用サーバ９２が、患者毎データベース２１２の医師処方せん情報データベース２２２や調剤履歴情報テーブル３０２から、処方薬の処方分日数や使用頻度、１回当たり数量、処方せん情報書き込み日時等を抽出し、これらの情報を用いて再診の予約を患者に促すようにしてもよい。
【０３５３】
そのような場合、例えば来院予約システムＵＲＬを含む、次回の来院予約を促す電子メールが、再診通知部１０６から患者の携帯型端末装置１５に対して送信される。この電子メールの内容を確認した患者は、携帯型端末装置１５を操作して、来院予約システムにアクセスし、再診の予約を行なうことができる。ここで、次回の来院予約を促す電子メールの送信のタイミングは、例えば処方薬の処方分日数等から算出された、患者が処方薬を飲み終える日に基づいて求められる。
【０３５４】
また、携帯型端末装置１５がデータサーバ９１から再診予約情報を取得して、適切なタイミングで１または複数回、再診の報知を行なうようにしてもよい。
【０３５５】
［服薬の通知について］
また、情報通知用サーバ９２は、データサーバ９１の患者毎データベース２１２を監視して、患者が処方された薬剤を服薬すべきタイミングとなると、薬剤の服薬を通知する。以下、図２３および図２４を参照して、そのような場合に行なわれる情報通知用サーバ９２および携帯型端末装置１５の処理について説明する。
【０３５６】
図２３は、情報通知用サーバ９２により行なわれる服薬通知処理を説明するフローチャートである。
【０３５７】
ステップＳ２３１において、情報通知用サーバ９２の監視部１０４は、データサーバ９１の患者毎データベース２１２に含まれる薬剤師調剤情報データベース２２３、および患者基本情報テーブル２５１を参照し、服薬通知を行なうか否かを判定する。
【０３５８】
例えば、監視部１０４は、処方せん／調剤データベース１０１から、図１４の調剤履歴インデックステーブル３０１、および調剤履歴情報テーブル３０２と、図１２の患者基本情報テーブル２５１を取得する。
【０３５９】
そして、監視部１０４は、調剤履歴インデックステーブル３０１の調剤履歴インデックスに含まれる「調剤情報書き込み日時」と、調剤履歴情報テーブル３０２の調剤履歴情報に含まれる「調剤分日数」とから、患者が服薬中の薬剤を特定する。具体的には、「調剤情報書き込み日時」が、現在日時から「調剤分日数」前の日よりも過去の日付であれば、既に薬剤の服薬期間が過ぎているとされる。
【０３６０】
監視部１０４は、服薬中の薬剤が特定されると、その薬剤の調剤履歴情報の「使用頻度」と、患者基本情報テーブル２５１の「朝食時間」、「昼食時間」、「夕食時間」、および「就寝時間」とから、患者が薬剤を服薬する時刻となったかを特定する。
【０３６１】
具体的には、例えば調剤履歴情報の「使用頻度」が「就寝前」である場合、現在時刻が患者基本情報テーブル２５１の「就寝時間」から、予め定められた時間だけ前の時刻であれば、患者が薬剤を服薬する時刻となったとされる。
【０３６２】
このように、調剤履歴情報と患者基本情報テーブル２５１の服薬のタイミングに関する情報が特定の条件を満たし、患者が服薬すべき時刻となったとされる薬剤がある場合、ステップＳ２３１において、その薬剤について服薬通知を行なうと判定される。
【０３６３】
ステップＳ２３１において、服薬通知を行なわないと判定された場合、処理はステップＳ２３１に戻り、上述した処理が繰り返される。
【０３６４】
これに対して、ステップＳ２３１において、服薬通知を行なうと判定された場合、服薬通知部１０７は、服薬通知をする薬剤の調剤履歴情報を、データサーバ９１の調剤履歴情報テーブル３０２から取得して、処理はステップＳ２３２に進む。
【０３６５】
ステップＳ２３２において、服薬通知部１０７は、服薬通知の対象となる患者の連絡先を取得する。具体的には、服薬通知部１０７は、取得した調剤履歴情報が記録されている患者毎データベース２１２を参照し、その患者毎データベース２１２の患者基本情報テーブル２５１から、患者の電話番号またはメールアドレスを取得する。
【０３６６】
ステップＳ２３３において、服薬通知部１０７は、取得した調剤履歴情報と患者の連絡先とに基づいて、服薬通知を生成する。
【０３６７】
例えば、服薬通知が電子メールにより送信される場合、服薬通知部１０７は、取得された患者のメールアドレスを宛先とする電子メールを服薬通知として生成する。この電子メールは、調剤履歴情報の「調剤薬識別ＩＤ」により識別される薬剤を、調剤履歴情報の「１回当たり数量」だけ服薬することを促すメッセージと、服薬すべき薬剤の実際の画像とが含まれるものとされる。
【０３６８】
なお、調剤薬識別ＩＤに対応する薬剤名と、その薬剤の画像とは、情報通知用サーバ９２に予め記録されていてもよいし、情報通知用サーバ９２によりデータサーバ９１から取得されるようにしてもよい。
【０３６９】
また、例えば、服薬通知が電話の音声メッセージとして送信される場合、服薬通知部１０７は、調剤履歴情報の「調剤薬識別ＩＤ」により識別される薬剤を、調剤履歴情報の「１回当たり数量」だけ服薬することを促す音声メッセージを服薬通知として生成する。
【０３７０】
ステップＳ２３４において、通信部１０５は、生成した服薬通知を送信して、処理はステップＳ２３１に戻り、上述した処理が繰り返される。
【０３７１】
例えば、服薬通知が電子メールである場合、情報通知用サーバ９２は、通信網１６を介して患者の携帯型端末装置１５に電子メールを送信する。また、服薬通知が音声メッセージである場合、情報通知用サーバ９２は、患者の連絡先として取得した患者の電話番号により特定される携帯型端末装置１５に、服薬通知としての音声メッセージを送信（発信）する。
【０３７２】
このようにして、服薬通知が患者の携帯型端末装置１５に送信されると、携帯型端末装置１５は服薬通知受信処理を行って、送信されてきた服薬通知を受信し、患者に対する報知を行なう。以下、図２４のフローチャートを参照して、携帯型端末装置１５により行なわれる服薬通知受信処理について説明する。
【０３７３】
ステップＳ２６１において、通信部１２１は、通信網１６等を介して情報通知用サーバ９２から送信されてきた服薬通知を受信し、制御部１２５に供給する。
【０３７４】
ステップＳ２６２において、制御部１２５は、供給された服薬通知を表示部１２６に表示させるか、またはスピーカ１２３から出力させることで、服薬を報知し、服薬通知受信処理は終了する。
【０３７５】
例えば、服薬通知が電子メールである場合、通信部１２１は情報通知用サーバ９２から送信されてきた電子メールを受信し、制御部１２５に供給する。すると制御部１２５は、供給された電子メールを表示部１２６に供給して表示させる。これにより、患者は、表示部１２６に表示された電子メールの内容を確認することで、薬剤を服薬する時刻となったことを知ることができる。
【０３７６】
また、例えば服薬通知が音声メッセージである場合、通信部１２１は情報通知用サーバ９２から送信されてきた音声メッセージを受信し、制御部１２５に供給する。制御部１２５は、スピーカ１２３に所定の音声データを供給して着信音を出力させ、患者により携帯型端末装置１５が操作されて通話が受け付けられると、制御部１２５は、スピーカ１２３に服薬通知としての音声メッセージを供給し、出力させる。
【０３７７】
以上のように、情報通知用サーバ９２は、データサーバ９１の患者毎データベース２１２を監視し、服薬を通知すべきタイミングとなると、調剤履歴情報に基づいて服薬通知を生成し、携帯型端末装置１５に送信する。
【０３７８】
このように、適切なタイミングで服薬通知を送信して、患者に服薬時刻を報知することにより、きめ細かな服薬促進情報を患者の携帯型端末装置１５に送信することが可能となる。これにより、患者は忘れずに服薬を行なうことができ、患者の利便性を向上させることができる。しかも、服薬通知には、服薬すべき薬剤の名前だけでなく、その薬剤の画像も表示されるので、患者は、薬剤の名前を知らなくても簡単に、かつ間違えることなく服薬を行なうことができる。
【０３７９】
また、服薬通知を行なうことで、患者の服薬コンプライアンスを向上させ、医師の意図した治療効果の発現に寄与することができる。これにより、医療行為の有する治療効果を最大限に引き出すことが可能となる。
【０３８０】
なお、携帯型端末装置１５がデータサーバ９１から調剤履歴インデックス、調剤履歴情報、患者基本テーブル等を取得して、適切なタイミングで１または複数回、服薬の報知を行なうようにしてもよい。
【０３８１】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０３８２】
図２５は、上述した一連の処理をプログラムにより実行するコンピュータのハードウェアの構成例を示すブロック図である。
【０３８３】
コンピュータにおいて、CPU（Central Processing Unit）５０１，ROM（Read Only Memory）５０２，RAM（Random Access Memory）５０３は、バス５０４により相互に接続されている。
【０３８４】
バス５０４には、さらに、入出力インターフェース５０５が接続されている。入出力インターフェース５０５には、キーボード、マウス、マイクロホンなどよりなる入力部５０６、ディスプレイ、スピーカなどよりなる出力部５０７、ハードディスクや不揮発性のメモリなどよりなる記録部５０８、ネットワークインターフェースなどよりなる通信部５０９、磁気ディスク、光ディスク、光磁気ディスク、或いは半導体メモリなどのリムーバブルメディア５１１を駆動するドライブ５１０が接続されている。
【０３８５】
以上のように構成されるコンピュータでは、CPU５０１が、例えば、記録部５０８に記録されているプログラムを、入出力インターフェース５０５及びバス５０４を介して、RAM５０３にロードして実行することにより、上述した一連の処理が行われる。
【０３８６】
コンピュータ（CPU５０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア５１１に記録して、あるいは、ローカルエリアネットワーク、インターネット、デジタル衛星放送といった、有線または無線の伝送媒体を介して提供される。
【０３８７】
そして、プログラムは、リムーバブルメディア５１１をドライブ５１０に装着することにより、入出力インターフェース５０５を介して、記録部５０８にインストールすることができる。また、プログラムは、有線または無線の伝送媒体を介して、通信部５０９で受信し、記録部５０８にインストールすることができる。その他、プログラムは、ROM５０２や記録部５０８に、あらかじめインストールしておくことができる。
【０３８８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３８９】
なお、本発明の実施の形態は、上述した実施の形態に限定されるものではなく、本発明の要旨を逸脱しない範囲において種々の変更が可能である。
【符号の説明】
【０３９０】
３２  病院内装置，  ３３  病院内レセプトコンピュータ，  ４１  電子お薬手帳参照部，  ４２  電子処方せん書込部，  ４３  調剤予約部，  ４４  再診予約部，  ４５  通信部，  ４６  表示部，  ４７  病院内データベース，  ６２  薬局内装置，  ７１  電子お薬手帳参照部，  ７２  電子処方せん取込部，  ７３  電子お薬手帳書込部，  ７４  調剤予約部，  ７５  通信部，  ７６  表示部，  ７７  薬局内データベース，  ９１  データサーバ，  ９２  情報通知用サーバ，  １０１  処方せん／調剤データベース，  １０２  通信部，  １０３  更新部，  １０４  監視部，  １０５  通信部，  １０６  再診通知部，  １０７  服薬通知部
【図１】
2012113523.tif 000003
【図２】
2012113523.tif 000004
【図３】
2012113523.tif 000005
【図４】
2012113523.tif 000006
【図５】
2012113523.tif 000007
【図６】
2012113523.tif 000008
【図７】
2012113523.tif 000009
【図８】
2012113523.tif 000010
【図９】
2012113523.tif 000011
【図１０】
2012113523.tif 000012
【図１１】
2012113523.tif 000013
【図１２】
2012113523.tif 000014
【図１３】
2012113523.tif 000015
【図１４】
2012113523.tif 000016
【図１５】
2012113523.tif 000017
【図１６】
2012113523.tif 000018
【図１７】
2012113523.tif 000019
【図１８】
2012113523.tif 000020
【図１９】
2012113523.tif 000021
【図２０】
2012113523.tif 000022
【図２１】
2012113523.tif 000023
【図２２】
2012113523.tif 000024
【図２３】
2012113523.tif 000025
【図２４】
2012113523.tif 000026
【図２５】
2012113523.tif 000027